(57)【要約】【課題】不必要な電力消費を抑えて、小型軽量の測定装置であって長時間の使用に耐えられる生体情報想定装置又は生体情報測定システムにおける電源制御装置を提供する。【解決手段】ＣＰＵが、測定部の測定動作の開始を指示するために電源をONすると、これに応答して、電源部から測定部に電源を供給し給電状態となり、生体情報を測定するが、測定動作が終了すると、これに応答して、電源供給を停止し電源をOFFにし、給電停止状態するように、電源部から測定部への電源供給を制御する。【選択図】図５
2008054972.tif 000002
【特許請求の範囲】
【請求項１】
身体の生体情報を測定する生体情報測定装置における電源制御装置であって、
前記生体情報を測定する測定手段と、
前記測定手段に電源を供給する電源部と、
前記測定手段に対して測定動作の開始を指示する動作開始指示手段と、
前記動作開始指示手段から測定動作の開始が指示されると電源を供給し、測定動作が終了すると電源供給を停止するように、前記電源部から前記測定手段への電源供給を制御する電源制御手段と、
を備えることを特徴とする電源制御装置。
【請求項２】
身体の生体情報を測定する生体情報測定装置における電源制御装置であって、
測定する時間間隔の異なる複数の測定モードを設定可能なモード設定手段と、
前記モード設定手段による設定に応じて測定動作の開始を指示する動作開始指示手段と、
前記動作開始指示手段からの動作開始指示を受けて前記生体情報を測定する測定手段と、
前記測定手段に電源を供給する電源部と、
前記動作開始指示手段から測定動作の開始が指示されると電源を供給し、測定動作が終了すると電源供給を停止するように、前記電源部から前記測定手段への電源供給を制御する電源制御手段と、
を備えることを特徴とする電源制御装置。
【請求項３】
前記測定手段による測定結果を保存する記憶手段を備え、
前記電源制御手段は、前記記憶手段に前記測定結果が記憶された時点を前記測定手段による測定動作の終了時と判断することを特徴とする請求項１又は請求項２に記載の電源制御装置。
【請求項４】
身体の生体情報を測定する測定装置と、前記測定装置とは別体で構成される制御装置と、を備えた生体情報測定システムにおける電源制御装置であって、
前記測定装置は、
前記制御装置から測定開始信号を受信する測定開始信号受信手段と、
前記測定開始信号受信手段で受信された測定開始信号にしたがって、測定動作の開始を指示する動作開始指示手段と、
前記動作開始指示手段からの動作開始指示を受けて身体の生体情報を測定する測定手段と、
前記測定手段により得られた測定結果を前記制御装置に送信する測定結果送信手段と、
前記測定開始信号受信手段及び前記測定結果送信手段とは電気的に分離された回路で構成される前記測定手段に対して電源を供給する電源部と、
前記動作開始指示手段から測定動作の開始が指示されると前記測定手段に対して電源を供給し、測定動作が終了すると前記測定手段に対する電源供給を停止するように、前記電源部から前記測定手段への電源供給を制御する電源制御手段と、
を備え、
前記制御装置は、
前記測定開始信号を前記測定装置に送信する測定開始信号送信手段と、
前記測定装置から測定結果を受信する測定結果受信手段と、
を備えることを特徴とする電源制御装置。
【請求項５】
身体の生体情報を測定する複数の測定装置と、前記複数の測定装置とは別体で構成される制御装置と、を備えた生体情報測定システムにおける電源制御装置であって、
前記複数の測定装置は、
前記制御装置から測定開始信号を受信する測定開始信号受信手段と、
前記測定開始信号受信手段で受信された測定開始信号にしたがって、測定動作の開始を指示する動作開始指示手段と、
前記動作開始指示手段からの動作開始指示を受けて身体の生体情報を測定する測定手段と、
前記測定手段により得られた測定結果を前記制御装置に送信する測定結果送信手段と、
前記測定開始信号受信手段及び前記測定結果送信手段とは電気的に分離された回路で構成される前記測定手段に対して電源を供給する電源部と、
前記動作開始指示手段から測定動作の開始が指示されると前記測定手段に対して電源を供給し、測定動作が終了すると前記測定手段に対する電源供給を停止するように、前記電源部から前記測定手段への電源供給を制御する電源制御手段と、
を備え、
前記制御装置は、
前記測定開始信号を前記複数の測定装置に送信する測定開始信号送信手段と、
前記複数の測定装置から測定結果を受信する測定結果受信手段と、
を備えることを特徴とする電源制御装置。
【請求項６】
前記制御装置は、測定する時間間隔の異なる複数の測定モードを設定可能なモード設定手段を備え、
前記測定開始信号送信手段は、前記モード設定手段による設定に応じて前記測定開始信号を前記測定装置に送信することを特徴とする請求項４又は請求項５に記載の電源制御装置。
【請求項７】
前記測定手段による測定結果を保存する記憶手段を備え、
前記電源制御手段は、前記記憶手段に前記測定結果が記憶された時点を前記測定手段による測定動作の終了時と判断することを特徴とする請求項４から請求項６のいずれか一項に記載の電源制御装置。
【請求項８】
前記電源制御手段は、前記測定結果送信手段から前記制御装置に前記測定結果が送信された時点を前記測定手段による測定動作の終了時と判断することを特徴とする請求項４から請求項６のいずれか一項に記載の電源制御装置。
【発明の詳細な説明】
【技術分野】
【０００１】
本発明は、電源制御装置に係り、特に生体情報測定システム又は生体情報測定装置に設けられる電源制御装置に関する。
【背景技術】
【０００２】
従来から、例えば筋電位、脈拍、血圧、体温等の生体情報の変化を測定する生体情報測定システムが知られている。この生体情報測定システムは、医療機器としてだけではなく、健康維持や、運動状態を把握するため等の目的で広く利用されている。
【０００３】
運動状態を把握するものとしては、例えば、筋電位の出力の最大値（筋電位の最大出力値）を記憶するとともに、以降の筋電位の出力値を測定し、筋電位の最大出力値に基づいて、測定された各筋電位の出力値の最大筋力比をリアルタイムで演算する測定装置（最大筋力比計）が提案されている（特許文献１参照）。
【０００４】
また、筋肉に電気刺激を与え、与えられた電気刺激に対する筋電位と運動後の生体の筋肉に与えられた電気刺激に対する筋電位とを比較して、筋肉疲労を判定する筋肉疲労判定装置が提案されている（特許文献２参照）。
【特許文献１】特開昭６０−１６８４３５号公報
【特許文献２】特開２０００−２３２号公報
【発明の開示】
【発明が解決しようとする課題】
【０００５】
しかしながら、この特許文献１及び特許文献２に開示されている技術のように筋電位等の生体情報を測定する装置においては、アナログ信号として取得された生体情報の測定結果をＣＰＵで扱うことのできるデジタルデータに変換する必要がある。このため、生体情報の測定結果についてインピーダンス変換を行い、信号レベルを増幅する等の処理が必要となるが、特にインピーダンス変換や信号の増幅処理は大きな電力を消費する。
【０００６】
運動にはマラソン等、長時間継続して行われるものもあるが、運動時の身体状態、疲労状態を検出するためには、運動の継続時間中測定を続けられるように装置各部に対する電力供給を確保する必要がある。しかし、測定部を駆動させるための電源が大型化すると、装置全体が重くなり、腕や脚に装着する測定装置が運動の妨げとなったり、ユーザに対する負担となったりするため、測定装置は極力小型軽量化が望まれる。
【０００７】
他方で、例えばマラソン等のように長時間継続して運動を行う場合には、運動中絶えず測定を続ける必要はなく、一定の時間ごとに測定結果が取得できれば十分である。しかし、測定を行っていないときにも測定部に電力が供給されると、無駄に消費電力が多くなり、運動の継続時間中電力供給を確保するためには、大容量の電源を備えなければならず、装置が大型化するとの問題があった。
【０００８】
本発明は、上記した問題点に鑑み為されたもので、不必要な電力消費を抑えて、小型軽量の測定装置であって長時間の使用に耐えられる生体情報想定装置又は生体情報測定システムにおける電源制御装置を提供することを目的としている。
【課題を解決するための手段】
【０００９】
以上の課題を解決するために請求項１に記載の電源制御装置は、
身体の生体情報を測定する生体情報測定装置における電源制御装置（例えば、図２のＣＰＵ１２０、電源部１５０、スイッチング回路１６０；図９及び図１０のステップｂ２、ｂ１５、ｂ２１、ｂ２６）であって、
前記生体情報を測定する測定手段（例えば、図２の筋電測定装置１０の測定部１１０；図９のステップｂ４）と、
前記測定手段に電源を供給する電源部（例えば、図２の電源部１５０；図９のステップｂ２）と、
前記測定手段に対して測定動作の開始を指示する動作開始指示手段（例えば、図２のＣＰＵ１２０；図９のステップｂ３）と、
前記動作開始指示手段から測定動作の開始が指示されると電源を供給し、測定動作が終了すると電源供給を停止するように、前記電源部から前記測定手段への電源供給を制御する電源制御手段（例えば、図２のＣＰＵ１２０；図９及び図１０のステップｂ２、ｂ１５、ｂ２１、ｂ２６）と、
を備えることを特徴とする。
【００１０】
請求項２に記載の電源制御装置は、
身体の生体情報を測定する生体情報測定装置における電源制御装置（例えば、図２のＣＰＵ１２０、電源部１５０、スイッチング回路１６０；図９及び図１０のステップｂ２、ｂ１５、ｂ２１、ｂ２６）であって、
測定する時間間隔の異なる複数の測定モードを設定可能なモード設定手段（例えば、図２の入力部３１０；図９のステップａ１）と、
前記モード設定手段による設定に応じて測定動作の開始を指示する動作開始指示手段（例えば、図２のＣＰＵ１２０；図９のステップｂ３）と、
前記動作開始指示手段からの動作開始指示を受けて前記生体情報を測定する測定手段（例えば、図２の筋電測定装置１０の測定部１１０；図９のステップｂ４）と、
前記測定手段に電源を供給する電源部（例えば、図２の電源部１５０；図９のステップｂ２）と、
前記動作開始指示手段から測定動作の開始が指示されると電源を供給し、測定動作が終了すると電源供給を停止するように、前記電源部から前記測定手段への電源供給を制御する電源制御手段（例えば、図２のＣＰＵ１２０；図９及び図１０のステップｂ２、ｂ１５、ｂ２１、ｂ２６）と、
を備えることを特徴とする。
【００１１】
請求項３に発明は、請求項１又は請求項２に記載の電源制御装置において、
前記測定手段による測定結果を保存する記憶手段（例えば、図２の記憶部１４０；図９及び図１０のステップｂ９、ｂ１２、ｂ１６、ｂ２２、ｂ２３、ｂ２４）を備え、
前記電源制御手段は、前記記憶手段に前記測定結果が記憶された時点を前記測定手段による測定動作の終了時と判断することを特徴とする。
【００１２】
請求項４に記載の電源制御装置は、
身体の生体情報を測定する測定装置（例えば、図２の筋電測定装置１０）と、前記測定装置とは別体で構成される制御装置（例えば、図２の制御装置３０）と、を備えた生体情報測定システムにおける電源制御装置であって、
前記測定装置は、
前記制御装置から測定開始信号を受信する測定開始信号受信手段（例えば、図２の送受信部１３０；図９のステップｂ１）と、
前記測定開始信号受信手段で受信された測定開始信号にしたがって、測定動作の開始を指示する動作開始指示手段（例えば、図２のＣＰＵ１２０；図９のステップｂ３）と、
前記動作開始指示手段からの動作開始指示を受けて身体の生体情報を測定する測定手段（例えば、図２の測定部１１０；図９のステップｂ４）と、
前記測定手段により得られた測定結果を前記制御装置に送信する測定結果送信手段（例えば、図２の送受信部１３０；図１０のステップｂ２５）と、
前記測定開始信号受信手段及び前記測定結果送信手段とは電気的に分離された回路で構成される前記測定手段に対して電源を供給する電源部（例えば、図２の電源部１５０；図９のステップｂ２）と、
前記動作開始指示手段から測定動作の開始が指示されると前記測定手段に対して電源を供給し、測定動作が終了すると前記測定手段に対する電源供給を停止するように、前記電源部から前記測定手段への電源供給を制御する電源制御手段（例えば、図２のＣＰＵ１２０；図９及び図１０のステップｂ２、ｂ１５、ｂ２１、ｂ２６）と、
を備え、
前記制御装置は、
前記測定開始信号を前記測定装置に送信する測定開始信号送信手段（例えば、図２の送受信部３４０；図９のステップａ３）と、
前記測定装置から測定結果を受信する測定結果受信手段（例えば、図２の送受信部３４０；図１０のステップａ８）と、
を備えることを特徴とする。
【００１３】
請求項５に記載の電源制御装置は、
身体の生体情報を測定する複数の測定装置（例えば、図２の筋電測定装置１０）と、前記複数の測定装置とは別体で構成される制御装置（例えば、図２の制御装置３０）と、を備えた生体情報測定システムにおける電源制御装置であって、
前記複数の測定装置は、
前記制御装置から測定開始信号を受信する測定開始信号受信手段（例えば、図２の送受信部１３０；図９のステップｂ１）と、
前記測定開始信号受信手段で受信された測定開始信号にしたがって、測定動作の開始を指示する動作開始指示手段（例えば、図２のＣＰＵ１２０；図９のステップｂ３）と、
前記動作開始指示手段からの動作開始指示を受けて身体の生体情報を測定する測定手段（例えば、図２の測定部１１０；図９のステップｂ４）と、
前記測定手段により得られた測定結果を前記制御装置に送信する測定結果送信手段（例えば、図２の送受信部１３０；図１０のステップｂ２５）と、
前記測定開始信号受信手段及び前記測定結果送信手段とは電気的に分離された回路で構成される前記測定手段に対して電源を供給する電源部（例えば、図２の電源部１５０；図９のステップｂ２）と、
前記動作開始指示手段から測定動作の開始が指示されると前記測定手段に対して電源を供給し、測定動作が終了すると前記測定手段に対する電源供給を停止するように、前記電源部から前記測定手段への電源供給を制御する電源制御手段（例えば、図２のＣＰＵ１２０；図９及び図１０のステップｂ２、ｂ１５、ｂ２１、ｂ２６）と、
を備え、
前記制御装置は、
前記測定開始信号を前記複数の測定装置に送信する測定開始信号送信手段（例えば、図２の送受信部３４０；図９のステップａ３）と、
前記測定装置から測定結果を受信する測定結果受信手段（例えば、図２の送受信部３４０；図１０のステップａ８）と、
を備えることを特徴とする。
【００１４】
請求項６に記載の発明は、請求項４又は請求項５に記載の電源制御装置において、
前記制御装置は、測定する時間間隔の異なる複数の測定モードを設定可能なモード設定手段（例えば、図２の入力部３１０；図９のステップａ１）を備え、
前記測定開始信号送信手段は、前記モード設定手段による設定に応じて前記測定開始信号を前記測定装置に送信する（例えば、図９のステップａ３）ことを特徴とする。
【００１５】
請求項７に発明は、請求項４から請求項６のいずれか一項に記載の電源制御装置において、
前記測定手段による測定結果を保存する記憶手段（例えば、図２の記憶部１４０；図９及び図１０のステップｂ９、ｂ１２、ｂ１６、ｂ２２、ｂ２３、ｂ２４）を備え、
前記電源制御手段は、前記記憶手段に前記測定結果が記憶された時点を前記測定手段による測定動作の終了時と判断することを特徴とする。
【００１６】
請求項８に記載の発明は、請求項４から請求項６のいずれか一項に記載の電源制御装置において、
前記電源制御手段は、前記測定結果送信手段から前記制御装置に前記測定結果が送信された時点を前記測定手段による測定動作の終了時と判断することを特徴とする。
【発明の効果】
【００１７】
請求項１に記載の発明によれば、電源制御手段が、動作開始指示手段から測定動作の開始が指示されたときに電源部から測定手段に電源を供給し、測定動作が終了すると電源供給を停止するように、電源部から測定手段への電源供給を制御することができる。
【００１８】
請求項２に記載の発明によれば、モード設定手段による設定に応じて動作開始指示手段が測定動作の開始を指示し、動作開始指示手段から測定動作の開始が指示されたときに、電源制御手段が、電源部から測定手段に電源を供給し、測定動作が終了すると電源供給を停止するように、電源部から測定手段への電源供給を制御することができる。
【００１９】
請求項３に記載の発明によれば、測定結果を記憶手段に保存し、電源制御手段は、記憶手段に測定結果が記憶された時点を測定手段による測定動作の終了時と判断して、電源部から測定手段への電源供給を停止させることができる。
【００２０】
請求項４に記載の発明によれば、測定開始信号受信手段で受信された測定開始信号にしたがって、動作開始指示手段が測定動作の開始を指示し、この動作開始指示を受けて測定手段が身体の生体情報を測定して測定結果を測定結果送信手段が制御装置に送信する測定装置において、測定開始信号受信手段及び測定結果送信手段と測定手段とが、電気的に分離された回路で構成されており、動作開始指示手段から測定動作の開始が指示されると測定手段に対して電源を供給し、測定動作が終了すると測定手段に対する電源供給を停止するように、電源制御手段が電源部から前記測定手段への電源供給を制御することができる。
【００２１】
請求項５に記載の発明によれば、測定開始信号受信手段で受信された測定開始信号にしたがって、動作開始指示手段が測定動作の開始を指示し、この動作開始指示を受けて測定手段が身体の生体情報を測定して測定結果を測定結果送信手段が制御装置に送信する複数の測定装置において、測定開始信号受信手段及び測定結果送信手段と測定手段とが、電気的に分離された回路で構成されており、動作開始指示手段から測定動作の開始が指示されると測定手段に対して電源を供給し、測定動作が終了すると測定手段に対する電源供給を停止するように、電源制御手段が電源部から前記測定手段への電源供給を制御することができる。
【００２２】
請求項６に記載の発明によれば、モード設定手段による設定に応じて測定開始信号を測定装置に送信することができる。
【００２３】
請求項７に記載の発明によれば、測定結果を記憶手段に保存し、電源制御手段は、記憶手段に測定結果が記憶された時点を測定手段による測定動作の終了時と判断して、電源部から測定手段への電源供給を停止させることができる。
【００２４】
請求項８に記載の発明によれば、電源制御手段は、測定装置が測定結果を制御装置に送信した時点を測定手段による測定動作の終了時と判断して、電源部から測定手段への電源供給を停止させることができる。
【発明を実施するための最良の形態】
【００２５】
以下、本発明の電源制御装置の第１の実施形態について、図１〜図１０を参照して詳細に説明する。尚、以下では、生体情報としてサイクリング運動時の筋電位を測定して筋肉の活動周期等の筋肉活動情報、その他の情報を取得する生体情報測定システムに設けられる電源制御装置を例にとって説明する。
【００２６】
図１は、ユーザが生体情報測定システム１を装着した様子を示す図である。この生体情報測定システム１は、ユーザの身体に装着可能な測定装置としての筋電測定装置１０と、筋電測定装置１０と別体で、筋電測定装置１０との間でデータ通信が可能な腕時計型の制御装置３０とで構成される。この実施形態に係る生体情報測定システム１において、サイクリング運動時の筋電位を測定する場合には、例えば、図１に示すように、いずれか一方の足の大腿四頭筋の外側広筋に筋電測定装置１０が装着され、腕に制御装置３０が装着される。尚、本実施形態では、筋電測定装置１０を１つ備える場合を例として説明するが、生体情報測定システム１に設けられる筋電測定装置１０の数はこれに限定されない。例えば両足の大腿四頭筋の外側広筋にそれぞれ筋電測定装置１０を装着する構成としてもよい。なお、筋電測定装置１０が複数設けられる場合でも、制御装置３０は１つであり、１つの制御装置３０によって各筋電測定装置１０に各種指示を送り、各筋電測定装置１０によって得られた測定結果が１つの制御装置３０に送られるようにする。
【００２７】
この装着にあたって、ユーザは、筋電測定装置１０の電極部１１１（図２参照）を足の大腿四頭筋の外側広筋に貼付してバンド等で固定するとともに、制御装置３０を手首に装着する。そして、ユーザは、制御装置３０を操作して筋電位の測定を開始させてからペダルを踏み込んで運動を開始する。或いは、ユーザは、運動途中から筋電位の測定を開始させることも可能である。
このようなサイクリング運動を行う場合、足の筋肉は活動と休止を繰り返すので、その筋肉の活動状態と休止状態とを筋電位により検出すれば、筋肉の活動周期を得ることができる。
【００２８】
［制御構成］
図２は、筋肉活動測定システム１を構成する筋電測定装置１０及び制御装置３０の制御構成の一例を示すブロック図である。
【００２９】
先ず、筋電測定装置１０の制御構成について説明する。この筋電測定装置１０は、測定部１１０と、ＣＰＵ１２０と、送受信部１３０と、記憶部１４０と、電源部１５０と、スイッチング回路１６０とを備えて構成されている。
【００３０】
このうち測定部１１０は、筋肉活動情報としての筋電位を測定する機能部であり、上述した外側広筋等の身体の肌に接触される一対の電極からなり、当該一対の電極間の電位差を経時的に検出する電極部１１１と、この電極部１１１により検出された電位差を低インピーダンス変換して出力するインピーダンス変換器１１２と、このインピーダンス変換器１１２から入力される信号を予め定められている信号レベルまで増幅して出力する増幅器１１３と、この増幅器１１３から入力される信号のうち予め定められている周波数範囲の信号を通過させて範囲外の周波数成分を除去するフィルタ１１４と、このフィルタ１１４から入力された信号をＡ／Ｄ変換して出力するＡ／Ｄ変換器１１５とで構成されている。
【００３１】
具体的には、電極部１１１で検出される２点間の電位変化は数１０μＶ〜数ｍＶで筋電位の周波数帯は２〜１０ＫＨｚである。一般に、生体のインピーダンスは非常に高いので、インピーダンス変換器（例えば電圧フォロー型の回路）１１２でインピーダンス変換を行う。次に、増幅器（例えば作動増幅器）１１３により、電圧を１００倍程度に増幅し、筋電波形を処理できるようにする。この増幅器１１３により増幅された波形には、様々な雑音（ノイズ）が重畳されている。そこで、次段のフィルタ１１４によって、筋電波形として処理する範囲外の周波数成分を除去する。次に、フィルタ１１４から入力される信号（アナログ信号）をＡ／Ｄ変換器（例えば１２ｂｉｔのＡ／Ｄ変換器）１１５でデジタル信号化する。
尚、ここではフィルタ１１４としてアナログフィルタを使用したが、アナログフィルタの代わりに、デジタルフィルタを用いてもよい。この場合には、デジタルフィルタは、Ａ／Ｄ変換器１１５の後段に設けられる。
【００３２】
ＣＰＵ１２０は、記憶部１４０に記憶されるプログラムやデータ、制御装置３０から送信されたデータ等に基づいて筋電測定装置１０内の各機能部への指示やデータの転送等を行い、筋電測定装置１０を制御する。また本実施形態を実現するため、ＣＰＵ１２０は、測定部１１０により測定される筋電位（筋肉活動情報）を基に筋肉の活動状態（筋肉活動状態）を測定し、測定結果を制御装置３０に送信する筋肉活動状態測定処理を実行する。
【００３３】
この筋肉活動状態測定処理について、図３を参照して具体的に説明する。
図３（Ａ）は、筋電測定装置１０の測定部１１０で測定された筋電位の波形の一例を示す図であり、筋電位の測定開始から１回目の筋肉活動、２回目の筋肉活動・・・ｎ回目の筋肉活動の筋電位の波形を表している。図３（Ｂ）は、図３（Ａ）に示した筋電位の波形の一部を拡大したものである。尚、実際の筋肉活動状態測定処理は、Ａ／Ｄ変換器１１５でデジタル化された信号の値をＣＰＵ１２０で演算することによってなされる。しかし、説明の便宜のために、ここでは、図３のアナログの筋電波形を用いて説明することとする。
【００３４】
この筋肉活動状態測定処理では、ＣＰＵ１２０は、測定された筋電位に基づいて、筋肉活動開始時点である筋肉活動開始タイミング（Ｔａ）と、筋肉活動終了時点である筋肉活動終了タイミング（Ｔｂ）を検出し、さらに次のペダリング時の筋肉活動開始タイミング（Ｔａ）を検出することによって、ペダリング運動における周期を検出する。
【００３５】
具体的には、ＣＰＵ１２０は、筋肉活動の測定を開始すると、この測定を開始した時点を測定開始時点（Ｔ）として記憶部１４０の測定開始タイミング（Ｔ）エリア１４３に記憶する。そして、ＣＰＵ１２０は、予め定められている基準値（予め定められている閾値）と筋電位の値とを比較して、測定開始時点（Ｔ）から最初に筋電位の値が基準値（予め定められている閾値）以上となった時点（以下「タイミング」という）を筋肉活動開始タイミング（Ｔａ１）と判定する。この判定した筋肉活動開始タイミング（Ｔａ１）を筋肉活動開始タイミング（Ｔａ１）エリア１４４に記憶する。尚、測定開始時点（Ｔ）にすでに筋電位の値が予め定められている基準値（予め定められている閾値）以上である場合には、ＣＰＵ１２０は、一旦筋電位の値が基準値（予め定められている閾値）以下になった後、筋電位の値が次に基準値（予め定められている閾値）以上となった時点を筋肉活動開始タイミング（Ｔａ１）と判定する。
【００３６】
また、ＣＰＵ１２０は、その筋肉活動開始タイミング（Ｔａ１）からの筋電位の経時的変化を後述する筋電発生データとして記憶部１４０の筋電発生データエリア１４２に記憶する。そして、ＣＰＵ１２０は、筋電位の値と基準値とを比較して、筋電位の値が基準値未満となったかどうかを監視する。筋電位の値が基準値未満となった場合には、ＣＰＵ１２０は、この基準値未満となった時点を筋肉活動終了タイミング（Ｔｂ１）と判定する。この判定した筋肉活動終了タイミング（Ｔｂ１）を筋肉活動終了タイミング（Ｔｂ１）エリア１４５に記憶する。また、ＣＰＵ１２０は、筋肉活動開始タイミング（Ｔａ１）から筋肉活動終了タイミング（Ｔｂ１）までの時間、すなわち、当該ペダリングにおいて筋肉が活動している（ペダルを踏み込んでいる）時間を、筋肉活動時間（Ｔact）として算出し、記憶部１４０の筋肉活動時間（Ｔact）エリア１４６に記憶する。
【００３７】
尚、ここでは、測定された筋電位の値が基準値以上となったタイミングを筋肉活動開始タイミング（Ｔａ）と判定し、筋電位の値が基準値未満となった時点を筋肉活動終了タイミング（Ｔｂ）と判定する場合を例として説明するが、筋肉活動開始タイミング（Ｔａ）及び筋肉活動終了タイミング（Ｔｂ）の判定の仕方はここに例示したものに限定されない。
【００３８】
例えば、測定された筋電位の値がその基準値以上となった回数が所定時間内に連続して所定回数に至ったときに、その所定時間内で最初に基準値以上となった時点（図３（Ｃ）におけるＴa1a）を筋肉活動開始タイミング（Ｔａ）としてもよい。或いは、所定時間内に連続して基準値以上となった回数が所定回数に至ったときに、その所定時間経過の時点（図３（Ｃ）におけるＴa1b）を筋肉活動開始タイミング（Ｔａ）としてもよい。
同様に、筋電位の値が基準値未満となった回数が所定時間内に連続して所定回数に至ったときに、その所定時間内で最初に基準値未満となった時点（図３（Ｃ）におけるＴb1a）を筋肉活動終了タイミング（Ｔｂ）としてもよい。或いは、所定時間内に連続して基準値未満となった回数が所定回数に至ったときに、その所定時間経過の時点（図３（Ｃ）におけるＴb1b）を筋肉活動終了タイミング（Ｔｂ）としてもよい。以下、同様である。
このようにするのは、特に、測定の開始時に筋電位の波形にノイズが混入し、そのノイズによって筋電測定装置１０が誤動作するのを防止するためである。尚、前記予め定められている回数は特に限定されない。例えば、どの程度の時間内に何回筋電位の値が基準値以上となった場合に筋肉活動開始タイミング（Ｔａ）とするか、また、どの程度の時間内に何回筋電位の値が基準値未満となった場合に筋肉活動終了タイミング（Ｔｂ）とするかが、記憶部１４０等に予めデフォルトとして記憶されていてもよいし、ユーザが所望の値を設定するようにしてもよい。
【００３９】
その後、ＣＰＵ１２０は、測定された筋電位の値が再び基準値以上となったならば、その時点（図３（Ａ）及び図３（Ｂ）におけるＴａ２）で次回の筋肉活動が開始されたと判定する。この場合、ＣＰＵ１２０は、筋肉活動開始タイミング（Ｔａ）を更新して、新たに判定された筋肉活動開始タイミング（Ｔａ）を筋肉活動開始タイミング（Ｔａ）エリア１４４に記憶するとともに筋電発生データをリセットする。
そして、ＣＰＵ１２０は、前回の筋肉活動についての測定が終了したものとして、筋肉活動測定回数ｎ（サイクリング運動においてはペダリング回数と一致）を更新する。すなわち、ＣＰＵ１２０は、新たに筋肉活動開始タイミング（Ｔａ１、Ｔａ２）と判定する度に、測定開始時から測定された筋肉活動の回数ｎである筋肉活動測定回数をカウントし、筋肉活動測定回数エリア１４８に記憶する。そして、次のペダリングに係る筋肉活動状態の測定を行うというように、連続して測定が繰り返されるようになっている。
【００４０】
また、ＣＰＵ１２０は周期算出手段として、前回の筋肉活動開始タイミング（Ｔａ１）と次回の筋肉活動が開始された筋肉活動開始タイミング（Ｔａ２）との差を算出することにより、前回のペダルの踏込みから次回のペダルの踏込みまでの時間、すなわち、１回のペダリングに要した時間（活動間隔）である筋肉活動周期（Ｔcyc）を算出する。
【００４１】
さらに、ＣＰＵ１２０は、前回のペダリングにおける筋電位の変化である筋電発生データから筋張力を評価するための指標である整流化平均値（ＡＲＶ：Averaged Rectified Value）と、筋疲労を評価するための指標である平均周波数（ＭＰＦ：Mean Power Frequency）等を算出する。
すなわち、ＣＰＵ１２０は、得られた筋電波形をもとに振幅値を処理して整流化平均値（ＡＲＶ）を求める。この整流化平均値は、発揮された筋力を示す指標となる。また、ＣＰＵ１２０は、得られた筋電波形をＦＦＴ測定して平均周波数（ＭＰＦ）等を求める。この平均周波数は、筋肉の疲労度を示す指標となる。
【００４２】
尚、この例では、ＣＰＵ１２０は、整流化平均値（ＡＲＶ）と、平均周波数（ＭＰＦ）等を算出することとしているが、ＣＰＵ１２０により算出される指標はこの例に限られない。例えば、前述した筋電発生データから主に筋張力に関係する実効値（ＲＭＳ：Root-Mean-Square-Value）、積分値、または、筋疲労に関係するメジアン周波数（Median Frequency）等を算出するようにしてもよい。
【００４３】
また、ＣＰＵ１２０は、図示しないタイマー機能を備えており、筋肉活動開始タイミング（Ｔａ）と判定すると、その度にこのタイマーをリセットするようになっている。そして、ＣＰＵ１２０は、筋肉活動終了タイミング（Ｔｂ）と判定してからタイマーの設定時間が経過すると、連続する筋肉活動が停止したと判断し、筋肉活動測定処理を終了する。タイマーの設定時間は特に限定されないが、ペダリング運動の場合には、一般に３秒程度次の筋肉活動開始タイミング（Ｔａ）がないと（次のペダリングが開始されないと）ペダリング運動が停止したと判断できるため、タイマーは、例えば３秒〜４秒程度に設定される。尚、タイマーの設定時間は予めデフォルトとして設定されていてもよいし、ユーザが任意に設定できるようにしてもよい。
【００４４】
また、本実施形態において、ＣＰＵ１２０は、後述する制御装置３０の送受信部３４０から筋電測定装置１０に対して測定開始信号が送信されたときに、測定部１１０に対して測定動作の開始を指示する動作指示信号を出力する動作開始指示手段として機能する。
【００４５】
また、制御装置３０から筋電測定装置１０に対して測定開始信号とともに測定モード信号が送信されたときには、ＣＰＵ１２０は、測定部１１０による測定が１回終了すると、選択されている測定モードが連続モードか間欠モードかを判断する。そして、測定モードが連続モードであれば測定を継続し、間欠モードであれば測定を一旦終了する。
【００４６】
尚、間欠モードであっても、所定の測定時間（又は測定回数）を予め定めておき、一旦測定を開始すると当該設定された測定時間（又は測定回数）を経過するまでは測定を継続するようになっていてもよい。この場合には、ＣＰＵ１２０が筋肉活動終了タイミング（Ｔｂ）と判定してからの経過時間がタイマー設定され、測定部１１０はタイマーの設定時間が経過するまで（測定回数で規定する場合にはカウンタで所定回数を設定し、当該回数に達するまで）測定を継続する。そして、予め定められている測定時間（又は測定回数）を経過したら測定部１１０は一旦測定を中止し、ＣＰＵ１２０から次の動作開始指示信号が出力されると再度測定動作を開始するようにする。
例えば、制御装置３０から３０分おきに測定開始信号が送信される場合であって、１回あたりの測定時間が１分と定められている場合には、制御装置３０からの測定開始信号を受けて、筋電測定装置１０ＣＰＵ１２０から測定部１１０に対して動作開始指示信号が出力されると、測定部１１０は筋電位の測定を開始し、筋肉活動周期が終了してから（ＣＰＵ１２０が筋肉活動終了タイミング（Ｔｂ）と判定してから）の経過時間が上記タイマーの設定時間を超えない限り、１分間測定を継続する。１分間測定動作を行うと、測定部１１０は一旦測定を中止し、３０分後にＣＰＵ１２０から次の動作開始指示信号が出力されると再度測定動作を開始するようにする。
尚、以下においては、間欠モードの場合について１回あたりの測定時間（又は測定回数）を定めず、筋肉活動周期の１周期分の測定を行ったら一旦測定を中止する場合を例として説明する。尚、筋肉活動周期が終了してから（ＣＰＵ１２０が筋肉活動終了タイミング（Ｔｂ）と判定してから）の経過時間が上記タイマーの設定時間を超えた場合にも、測定部１１０による筋肉活動測定処理を終了する。
【００４７】
送受信部１３０は、制御装置３０との間で無線通信を行うための機能部であり、例えば図示しないアンテナを介して制御装置３０から送信された信号を復調してＣＰＵ１２０に出力する一方、ＣＰＵ１２０から入力される制御信号を変調し、アンテナを介して制御装置３０に送信する。本実施形態において、送受信部１３０は、制御装置３０から送信される測定開始信号を受信する測定開始信号受信手段及び制御装置３０に対して測定結果を送信する測定結果送信手段として機能する。
【００４８】
記憶部１４０は、ＲＯＭやＲＡＭ等のＩＣメモリ、ハードディスク等の情報記憶媒体及びその読取装置等によって実現されるものであり、ＣＰＵ１２０に筋電測定装置１０を制御させるためのプログラム等が記憶されている。
【００４９】
図４は、記憶部１４０の具体的な構成例を示す図であり、本実施形態を実現するため、前述の筋肉活動状態測定処理を実行するための筋肉活動状態測定プログラムが筋肉活動状態測定プログラムエリア１４１に記憶されている。また、データとして、筋電発生データと、測定開始タイミング（Ｔ）と、筋肉活動開始タイミング（Ｔａ）と、筋肉活動終了タイミング（Ｔｂ）と、筋肉活動時間（Ｔact）と、筋肉活動周期（Ｔcyc）と、筋肉活動測定回数と、整流化平均値（ＡＲＶ）と、平均周波数（ＭＰＦ）とが、筋電発生データエリア１４２と、測定開始タイミング（Ｔ）エリア１４３と、筋肉活動開始タイミング（Ｔａ）エリア１４４と、筋肉活動終了タイミング（Ｔｂ）エリア１４５と、筋肉活動時間（Ｔact）エリア１４６と、筋肉活動周期（Ｔcyc）エリア１４７と、筋肉活動測定回数エリア１４８と、整流化平均値（ＡＲＶ）エリア１４９と、平均周波数（ＭＰＦ）エリア１５０とにそれぞれ記憶され、それぞれ筋肉活動測定回数毎（ペダリングのサイクル毎）に上書きされて更新される。
本実施形態において、記憶部１４０は、筋肉活動周期（Ｔcyc）等、測定部１１０の測定結果に基づいて算出される各種データを連続して複数記憶可能な記憶手段として機能する。
【００５０】
次に電源部１５０は、例えば着脱可能な一次電池又は二次電池によって構成される。また、コードやクレードル等と接続することにより充電される充電式の電源部１５０であってもよい。
【００５１】
電源部１５０は筋電測定装置１０に駆動電力を供給するようになっている。本実施形態において、測定部１１０は、少なくとも送受信部１３０とは電気的に分離された回路で構成されており、電源部１５０は、ＣＰＵ１２０を介して送受信部１３０に電源を供給し、後述するスイッチング回路１６０を介して測定部１１０に電源を供給するようになっている。
【００５２】
スイッチング回路１６０は、例えば、電源部１５０から測定部１１０に電源が供給される給電経路上に設けられており、例えば半導体スイッチング素子である電界効果型トランジスタ（Field Effect Transistor  以下、「ＦＥＴ」という）等を備えて構成されている。ＦＥＴとしては、例えばパワーＭＯＳＦＥＴ等を適用することができる。尚、スイッチング回路１６０に適用されるスイッチング素子は特に限定されず、ここに例示したＦＥＴ以外のものにより構成されていてもよい。
【００５３】
なお、スイッチング回路１６０は、電源部１５０から測定部１１０に電源供給のＯＮ／ＯＦＦを切り替えるものであり、筋電測定装置１０には、このスイッチング回路１６０とは別に、筋電測定装置１０自体の電源供給のＯＮ／ＯＦＦを切り替える図示しないスイッチ機構が設けられている。このスイッチ機構をＯＮとすることにより、ＣＰＵ１２０、記憶部１４０及び送受信部１３０に電源部１５０から電源が供給され、装置の制御、外部との情報の送受信が可能な状態となる。尚、スイッチ機構をＯＮとすることにより電源供給がＯＮとなる構成部は、ここに例示したものに限られないが、制御装置３０等の外部装置からの信号を受信できるように、スイッチ機構がＯＮとなると少なくとも送受信部１３０に電源が供給されるようにする。
【００５４】
本実施形態において、ＣＰＵ１２０は、スイッチング回路１６０を動作させて電源部１５０から測定部１１０への電源供給を制御する電源制御手段として機能するようになっており、ＣＰＵ１２０と、電源部１５０と、スイッチング回路１６０と等によって電源制御装置が構成されている。
【００５５】
ここで、図５を参照しつつ、ＣＰＵ１２０による電源部１５０から測定部１１０への電源供給のＯＮ、ＯＦＦの切り替え処理について説明する。
後述するように、本実施形態においては、測定モードとして、連続的に筋電位の測定を行う連続モードと予め定められている時間間隔ごとに筋電位の測定を行う間欠モードとが選択できるようになっており、測定モードが連続モードか間欠モードかにより、電源のＯＮ／ＯＦＦの切り替えタイミングが異なる。
【００５６】
まず、測定モードが連続モードである場合の電源のＯＮ／ＯＦＦの切り替えタイミングについて、図５（Ａ）を参照しつつ説明する。この場合、送受信部１３０が制御装置３０から測定開始信号を受信して、測定開始タイミング（Ｔ）となると、ＣＰＵ１２０が、スイッチング回路１６０を構成するＦＥＴのゲートに対して予め定められている電圧を印加されるよう指示信号を出力する。これにより、ＦＥＴのソース・ドレイン間に電流が流れＦＥＴがＯＮ状態となり、測定部１１０側の回路に通電され、電源部１５０から測定部１１０への電源供給がＯＮとなって給電状態となる。また、ＣＰＵ１２０が筋肉活動終了タイミング（Ｔｂ）と判定してからタイマーの設定時間が経過すると、ＣＰＵ１２０は、スイッチング回路１６０を構成するＦＥＴのゲートに対して印加される電圧をＬＯＷとするよう指示信号を出力する。これにより、ＦＥＴのソース・ドレイン間に電流が流れずＦＥＴがＯＦＦ状態となり、電源部１５０から測定部１１０への電源供給がＯＦＦとなって給電停止状態となる。
【００５７】
次に、測定モードが間欠モードであり予め定められている時間間隔ごとに１回筋肉活動周期を測定する場合の電源のＯＮ／ＯＦＦの切り替えタイミングについて、図５（Ｂ）を参照しつつ説明する。この場合も、連続モードのときと同様に、送受信部１３０が制御装置３０から測定開始信号を受信して、測定開始タイミング（Ｔ）となると、ＣＰＵ１２０が、スイッチング回路１６０を動作させることにより、電源部１５０から測定部１１０への電源供給がＯＮとなり、給電状態となる。また、ＣＰＵ１２０は、送受信部１３０が制御装置３０に測定結果を送信すると（図５（Ａ）における送信終了時点）、スイッチング回路１６０を構成するＦＥＴのゲートに対して印加される電圧をＬＯＷとするよう指示信号を出力する。これにより、ＦＥＴのソース・ドレイン間に電流が流れずＦＥＴがＯＦＦ状態となり、電源部１５０から測定部１１０への電源供給がＯＦＦとなって給電停止状態となる。
尚、間欠モードであっても、所定の測定時間（又は測定回数）を予め定めておき、一旦測定を開始すると当該設定された測定時間（又は測定回数）を経過するまでは測定を継続するようになっている場合には、当該設定された測定時間（又は測定回数）を経過後に電源がＯＦＦとなるようにする。
【００５８】
次に、制御装置３０の制御構成について説明する。
図２に示すように、制御装置３０は、入力部３１０と、ＣＰＵ３２０と、表示部３３０と、送受信部３４０と、記憶部３５０とを備えて構成されている。
【００５９】
このうち入力部３１０は、例えば各種スイッチやダイヤル、タッチパネル等によって実現されるものであり、操作入力に応じた操作信号をＣＰＵ３２０に出力する。この入力部３１０の機能により、筋電位の測定開始指示や測定終了指示、測定モード設定等の入力が行われる。そして、後述するように、入力部３１０で測定モードが入力されたときは、測定開始を指示する測定開始信号とともに、測定モードに関する測定モード信号が筋電測定装置１０に送信される。
【００６０】
ここで、測定モードの設定について説明する。入力部３１０により設定される測定モードとしては、例えば、連続モード、第１間欠モード、第２間欠モードの３つのモードがある。
連続モードは、例えば１〜２分以内の全力運動を想定したものであり、運動条件として連続モードが設定されたときは、例えば筋電測定装置１０による測定が測定開始から連続して行われる。
また、第１間欠モードは、例えば１０分程度の運動を想定したものであり、運動条件として第１間欠モードが設定されたときは、例えば筋電測定装置１０による測定が測定開始から５分程度の短時間で繰り返されるように、予め定められている時間間隔をおいて制御装置３０から筋電測定装置１０に測定開始信号が送信される。
また、第１間欠モードは、例えばマラソン等の１時間を超える長時間の運動を想定したものであり、運動条件として第１間欠モードが設定されたときは、例えば筋電測定装置１０が１０分おき等、予め定められている時間間隔をあけて繰り返して測定を行うように、予め定められている時間間隔をおいて制御装置３０から筋電測定装置１０に測定開始信号が送信される。
尚、測定モードは連続モード、第１間欠モード、第２間欠モードの３段階である場合に限定されない。例えば、連続モードと間欠モードの２段階であってもよいし、さらに複数段階の間欠モードを設定できるようにしてもよい。
【００６１】
ＣＰＵ３２０は、記憶部３５０に記憶されているプログラムやデータ、入力部３１０から入力される操作信号や筋電測定装置１０から送信されたデータ等に基づいて制御装置３０内の各機能部への指示やデータの転送等を行い、制御装置３０や筋肉活動測定システム１全体の制御等を行う。
【００６２】
また、本実施形態を実現するため、ＣＰＵ３２０は、図示しないタイマー機能を備えており、入力部３１０から測定開始指示が入力された場合であって、測定モードとして第１間欠モード、第２間欠モードが選択された場合には、筋電測定装置１０に測定開始信号を送信するとともに、測定開始信号を送信してからの経過時間を計測する。そして、各間欠モードに従った所定時間が経過すると（予め定められている時間間隔ごとに）、筋電測定装置１０に次の測定開始信号を送信する。各測定モードにおいてどの程度の時間間隔で筋電測定装置１０に次の測定開始信号を送信するかは、ユーザが入力部３１０等から任意に設定してもよいし、予め一定の値がデフォルトとして設定され記憶部３５０等に保存されていてもよい。
また、ＣＰＵ３２０は、筋電測定装置１０から随時送信される測定結果に基づいて表示部３３０の表示を制御する筋肉活動状態表示処理を実行する。
【００６３】
本実施形態において、ＣＰＵ３２０は、測定された筋電位の測定結果が筋電測定装置１０から送信されると、当該測定結果である筋肉活動周期（Ｔcyc）を、現在の時刻、測定開始時刻（測定開始タイミング（Ｔ））、何回目の測定であるかの回数ｎとともに表示するよう表示部３３０を制御する表示制御手段として機能する。尚、表示部３３０に表示させる内容はここに例示したものに限定されず、例えば、測定開始時刻とともに、又はこれに代えて測定開始からの経過時間等を表示させるようにしてもよい。
【００６４】
表示部３３０は、ＬＣＤやＥＬＤ等の表示装置により実現されるものであり、前述のようにＣＰＵ３２０の指示に従って、筋電測定装置１０で測定された筋肉の活動状態（筋肉活動状態）としての筋肉活動周期（Ｔcyc）を、現在の時刻、測定開始時刻（測定開始タイミング（Ｔ））、何回目の筋肉活動の測定であるかを示す筋肉活動測定回数等とともに表示する。
【００６５】
図６は、表示部３３０の表示例を示したものである。例えば、１０：００：１０に筋肉活動の測定を開始し、現在１０：０５：１０であって、測定開始から５回目の筋肉活動が測定された場合に、５回目の筋肉活動開始タイミング（Ｔａ）から次の６回目の筋肉活動開始タイミング（Ｔａ）までの時間（５回目の筋肉活動開始タイミング（Ｔａ）と次の６回目の筋肉活動開始タイミング（Ｔａ）との差）が０．８秒であった場合には、図６に示すように、表示部３３０の上段には、測定開始時刻（測定開始タイミング（Ｔ））として「１０：００：１０」が表示され、下段には現在時刻として「１０：０５：１０」が表示される。また、中段には、筋肉活動測定回数「００５」と、筋肉活動状態として当該筋肉活動測定回数に対応する筋肉活動周期（Ｔcyc）（＝サイクル運動における回転の間隔）「０．８ｓｅｃ」とが表示される。尚、表示部３３０の表示のレイアウト等は図示例に限定されない。
【００６６】
また、以下においては、表示部３３０に筋肉活動状態として筋肉活動周期（Ｔcyc）を表示させる場合を例として説明するが、表示部３３０に表示される筋肉活動状態は、筋肉活動周期（Ｔcyc）である場合に限定されない。例えば、ＣＰＵ３２０が、単位時間あたりに筋肉活動周期（Ｔcyc）が何回行われるかを演算し、この演算結果を筋肉活動状態として表示部３３０に表示してもよい。すなわち、上述の例では、筋肉活動周期（Ｔcyc）が「０．８ｓｅｃ」であるので、例えば単位時間を１分間（６０ｓｅｃ）とすると、１分間に繰り返される筋肉活動周期（Ｔcyc）の回数（＝サイクル運動における回転数／分）は、６０÷０．８であり、７５回となる。したがって、表示部３３０には筋肉活動状態として「７５ｒｐｍ」と表示される。
【００６７】
尚、制御装置３０に図示しない表示切替ボタン等を備え、この表示切替ボタンを操作して表示部３３０の表示を切替可能としてもよい。表示部３３０の表示を切り替えられるようにした場合には、表示を切り替えると、例えば、測定開始から現在までの筋肉活動周期（Ｔcyc）、整流化平均値（ＡＲＶ）、平均周波数（ＭＰＦ）等の筋肉活動状態を示す値の経時変化が、グラフ等で表示されるようにしてもよい。また、例えば、筋肉活動周期（Ｔcyc）と単位時間あたりに筋肉活動周期（Ｔcyc）が行われる回数とを表示部３３０に切替表示させることができるようにしてもよい。
【００６８】
送受信部３４０は、筋電測定装置１０との間で無線通信を行うための機能部であり、例えば図示しないアンテナを介して筋電測定装置１０から送信された信号を復調してＣＰＵ３２０に出力するとともに、ＣＰＵ３２０から入力される制御信号を変調し、アンテナを介して筋電測定装置１０に送信する。
本実施形態において、送受信部３４０は、筋電測定装置１０に対して測定開始信号を送信する測定開始信号送信手段及び筋電測定装置１０から送信される測定結果を受信する測定結果受信手段として機能する。
【００６９】
記憶部３５０は、ＲＯＭやＲＡＭ等のＩＣメモリ、ハードディスク等の情報記憶媒体及びその読取装置等によって実現されるものであり、ＣＰＵ３２０に制御装置３０を制御させるためのプログラム等が記憶される。
【００７０】
図７は、記憶部３５０の具体的な構成例を示す図であり、本実施形態を実現するため、前述の筋肉活動状態表示処理を実行するための筋肉活動状態表示プログラムエリア３５１を備えている。また、データとして、測定開始タイミング（Ｔ）と、筋肉活動開始タイミング（Ｔａ）と、筋肉活動状態データとが、測定開始タイミング（Ｔ）エリア３５２と、筋肉活動開始タイミング（Ｔａ）３５３と、筋肉活動状態データエリア３５４とにそれぞれ記憶されている。
【００７１】
このうち、筋肉活動状態データエリア３５４は、筋肉活動時間（Ｔact）と、筋肉活動周期（Ｔcyc）と、整流化平均値（ＡＲＶ）と、平均周波数（ＭＰＦ）とを記憶する筋肉活動時間（Ｔact）エリア３５５と、筋肉活動周期（Ｔcyc）エリア３５６と、整流化平均値（ＡＲＶ）エリア３５７と、平均周波数（ＭＰＦ）エリア３５８とを備えている。
【００７２】
図８は、図７に示す筋肉活動状態データエリア３５４のデータ構成例を示す図である。同図に示すように、筋肉活動状態データエリア３５４には、測定結果である筋肉活動時間（Ｔact）、筋肉活動周期（Ｔcyc）、整流化平均値（ＡＲＶ）、及び平均周波数（ＭＰＦ）の各値が、その受信順（測定順）に割り振られる測定回数と対応付けられて記憶されている。
【００７３】
［処理の流れ］
次に、筋電測定装置１０及び制御装置３０における処理の流れについて、図９及び図１０を参照して説明する。
尚、ここで説明する処理は、筋電測定装置１０のＣＰＵ１２０が筋肉活動状態測定プログラムエリア１４１から筋肉活動状態測定プログラムを読み出して実行し、制御装置３０のＣＰＵ３２０が筋肉活動状態表示プログラムエリア３５１から筋肉活動状態表示プログラムを読み出して実行することにより実現される処理であり、制御装置３０において、入力部３１０から測定終了指示が入力された場合、或いはプログラムに基づき所定時間経過した場合に終了される。
【００７４】
すなわち、先ず、制御装置３０において入力部３１０から測定モードが入力され（ステップａ１）、測定開始指示が入力された場合（ステップａ２）には、ＣＰＵ３２０が、筋電測定装置１０に設定された測定モードを指示する測定モード信号と測定開始を指示する測定開始信号を送信する（ステップａ３）。
【００７５】
また、ＣＰＵ３２０は、入力部３１０から入力された測定モードが連続モードかを判断する（ステップａ４）。測定モードが連続モードでない場合（間欠モードが選択  ステップａ４：ＮＯ）には、測定開始信号を送信してからの経過時間を計測し、所定時間が経過したか否かを判断する。すなわち、間欠モードが選択された場合（ステップａ４：ＮＯ）には、ＣＰＵ３２０は選択された間欠モードが第１間欠モードかを判断する（ステップａ５）。第１間欠モードである場合（ステップａ５：ＹＥＳ）には、第１間欠モードにおける所定時間が経過したか否かを常に判断する（ステップａ６）。また、第１間欠モードでない場合（ステップａ５：ＮＯ）には第２間欠モードが選択されたと判断し、第２間欠モードにおける所定時間が経過したか否かを常に判断する（ステップａ７）。そして所定時間が経過すると（ステップａ６及びステップａ７：ＹＥＳ）、筋電測定装置１０に対して再度測定開始信号を送信する。
【００７６】
制御装置３０からの測定開始信号に応答して筋電測定装置１０では、ＣＰＵ１２０が制御することにより、筋肉活動状態測定処理を実行する。
ＣＰＵ１２０による筋肉活動状態測定処理は以下のように実行される。すなわちＣＰＵ１２０は、測定モード信号及び測定開始信号を受信したならば（ステップｂ１）、スイッチング回路１６０を動作させて、電源部１５０から測定部１１０に電源を供給する（ステップｂ２）。またＣＰＵ１２０は、測定部１１０に対して動作開始指示信号を出力する（ステップｂ３）。動作開始指示信号を受けて測定部１１０は筋電位の測定を開始し（ステップｂ４）、ＣＰＵ１２０は測定部１１０が測定を開始した測定開始タイミング（Ｔ）を記憶部１４０の測定開始タイミング（Ｔ）エリア１４３に記憶する（ステップｂ５）。
【００７７】
ＣＰＵ１２０は、測定部１１０により測定される筋電位の値（例えば、振幅）を基準値と比較し、基準値未満か否かを判断する（ステップｂ６）。筋電位の値が基準値未満である場合には（ステップｂ６：ＹＥＳ）、ＣＰＵ１２０は、タイマーをリセットする（ステップｂ７）。そして、ＣＰＵ１２０は、測定部１１０により連続的に測定される筋電位の値を基準値と比較し、基準値以上か否かを判断する（ステップｂ８）。測定された筋電位の値（例えば、振幅）が基準値以上となった場合には（ステップｂ８：ＹＥＳ）、ＣＰＵ１２０は、その時点を筋肉活動開始タイミング（Ｔａ１）と判定し、筋肉活動開始タイミング（Ｔａ）エリア１４４に記憶する（ステップｂ９）。他方、測定を開始した測定開始タイミング（Ｔ）において筋電位の値が基準値以上である場合には（ステップｂ６：ＮＯ）、ＣＰＵ１２０は、一旦筋電位が基準値未満になった後、最初に筋電位の値（例えば、振幅）が基準値以上となった時点を筋肉活動開始タイミング（Ｔａ１）と判定し、筋肉活動開始タイミング（Ｔａ）エリア１４４に記憶する（ステップｂ９）。
【００７８】
そして、これと同時に、ＣＰＵ１２０は、この筋肉活動開始タイミング（Ｔａ１）からの筋電位の記憶を開始し（ステップｂ１０）、記憶部１４０の筋電発生データエリア１４２に記憶する。また、ＣＰＵ１２０は、測定される筋電位の値が基準値未満となったか否か、筋電位の値の変化を監視し（ステップｂ１１）、筋電位の値（例えば、振幅）が基準値未満となった場合には（ステップｂ１１：ＹＥＳ）、ＣＰＵ１２０は、当該時点を筋肉活動終了タイミング（Ｔｂ１）と判定し、筋肉活動終了タイミング（Ｔｂ）エリア１４５に記憶する（ステップｂ１２）。
【００７９】
そして、ＣＰＵ１２０は、測定部１１０により測定される筋電位の値が再び基準値以上となるかを判断する（ステップｂ１３）。筋電位の値が基準値以上でないときは（ステップｂ１３：ＮＯ）、さらに、ＣＰＵ１２０は、タイマー設定時間内（例えば３秒ないし４秒）であるか否かを判断し（ステップｂ１４）、タイマー設定時間を超えている場合には（ステップｂ１４：ＮＯ）、ＣＰＵ１２０は、筋肉活動が停止したものと判断して、測定部１１０への電源供給を停止させ（ステップｂ１５）、筋肉活動状態の測定処理を終了する。他方、タイマー設定時間内である場合には、ステップ１３に戻り、筋電位の値が基準値以上となるか否かを判断する。
【００８０】
一方、ＣＰＵ１２０は、測定部１１０により測定される筋電位の値が基準値以上となると（ステップｂ１３：ＹＥＳ）、当該時点を次回の筋肉活動開始タイミング（Ｔａ２）と判定して記憶部１４０の筋肉活動開始タイミング（Ｔａ）エリア１４４に記憶する（ステップｂ１６）。そして、ＣＰＵ１２０は、前回の筋電位の値の記憶を終了するとともに（ステップｂ１７）、測定開始タイミング（Ｔ）からの筋肉活動測定回数（本実施形態においてはペダリング回数）を更新する（ステップｂ１８）。さらに、ＣＰＵ１２０は、制御装置３０から送信された測定モード信号に基づいて、測定モードが連続モードか間欠モードかを判断する（ステップｂ１９）。そして、連続モードである場合には（ステップｂ１９：ＹＥＳ）、タイマーをリセットし（ステップｂ２０）、次回のペダリングについての筋電位を得るためステップｂ１０に戻り、ステップｂ１０からｂ１８のまでのステップを経て次回のペダリングに関する測定を行う。他方、測定モードが間欠モードである場合には（ステップｂ１９：ＮＯ）、一旦筋電位の測定を停止して（筋電位測定の終了）、測定部１１０への電源供給を停止させる（ステップｂ２１）。
【００８１】
また、ＣＰＵ１２０は、筋肉活動開始タイミング（Ｔａ）エリア１４４に記憶されている筋肉活動開始タイミング（Ｔａ１）と筋肉活動終了タイミング（Ｔｂ）エリア１４５に記憶されている筋肉活動終了タイミング（Ｔｂ１）との時間差から筋肉活動時間（Ｔact）を算出し、記憶部１４０の筋肉活動時間（Ｔact）エリア１４６に記憶する（ステップｂ２２）。
【００８２】
また、ＣＰＵ１２０は、ステップｂ９で筋肉活動開始タイミング（Ｔａ１）と判定し筋肉活動開始タイミング（Ｔａ）エリア１４４に記憶した前回の筋肉活動開始時点とステップｂ１４で次回の筋肉活動開始タイミング（Ｔａ２）と判定し筋肉活動開始タイミング（Ｔａ）エリア１４４に記憶した筋肉活動開始時点との時間差から筋肉活動周期（Ｔcyc）を算出し、この算出結果を筋肉活動周期（Ｔcyc）エリア１４７に記憶する（ステップｂ２３）。
【００８３】
次いでＣＰＵ１２０は、得られた今回のペダリングにおける筋電発生データに基づいて整流化平均値（ＡＲＶ）及び平均周波数（ＭＰＦ）を算出し、記憶部１４０の整流化平均値（ＡＲＶ）エリア１４９及び平均周波数（ＭＰＦ）エリア１５０にそれぞれに記憶する（ステップｂ２４）。
【００８４】
続いてＣＰＵ１２０は、ステップｂ２２で算出した筋肉活動時間（Ｔact）、ステップｂ２３で算出した筋肉活動周期（Ｔcyc）、ステップｂ２４で算出した整流化平均値（ＡＲＶ）及び平均周波数（ＭＰＦ）の各値をステップｂ１８で更新した筋肉活動測定回数と対応付けて、測定結果として制御装置３０に送信する（ステップｂ２５）。そして、送信完了とともに電源部１５０から測定部１１０への電源供給を停止する（ステップｂ２６）。
【００８５】
一方、制御装置３０では、ＣＰＵ３２０は、筋電測定装置１０からの測定結果を受信したならば（ステップａ８）、この受信した測定結果を記憶部３５０の測定開始タイミング（Ｔ）エリア３５２、筋肉活動開始タイミング（Ｔａ）エリア３５３、筋肉活動状態データエリア３５４の各エリアに追加して記憶する（ステップａ９）。
【００８６】
そして、ＣＰＵ３２０は、筋肉活動開始時刻、現在時刻、筋肉活動周期（Ｔcyc）及び当該筋肉活動周期（Ｔcyc）が測定された筋肉活動測定回数を表示するように表示部３３０の表示を制御する（ステップａ１０）。
【００８７】
さらにＣＰＵ３２０は、次の測定結果を受信したかを判断し（ステップａ１１）、次の測定結果を受信した場合（ステップａ１１：ＹＥＳ）には、ＣＰＵ３２０はステップａ９に戻って新たに取得した測定結果を、測定順に記憶部３５０の各エリアに記憶させるとともに、現在表示されている内容に代えて新たに取得した測定結果に基づく表示を表示させるように表示部３３０を制御する。他方、次の測定結果を受信していない場合（ステップａ１１：ＮＯ）には、ＣＰＵ３２０は筋肉活動状態表示処理を終了する。
【００８８】
以上説明したように、本実施形態によれば、筋電位の測定を行っている間だけ測定部１１０に電源を供給し、測定を行わない間は測定部１１０への電源供給を停止するので、消費電力を必要最小限に抑えることができ、容量の少ない電源部１５０によっても長時間の運動における筋電位の測定が可能である。このため、装置の小型軽量化を測ることができる。
【００８９】
また、身体に装着された筋電測定装置１０によって測定した筋電位をもとに筋肉活動状態として筋肉活動周期を測定し、この測定結果を制御装置３０において随時更新しながら表示することができる。このため、ユーザは運動しながら自分がどの程度の筋肉活動周期で運動しているかを容易に把握することができ、自分の運動のペースを調整して、身体の状態に合わせた運動、動作等を行うことができる。
【００９０】
また、予め定められている時間が経過するごとに制御装置３０から送信される測定開始指示信号を受けて動作開始指示信号がＣＰＵ１２０から出力されたときに間欠的に筋電位を測定するので、例えば、マラソン等、長時間の運動を行う場合に、不必要に大量のデータが蓄積されることがなく筋肉状態の測定を行うことができる。
【００９１】
尚、上記した実施形態では、サイクリング運動時の筋電位を測定する場合を例にとって説明としたが、例えばウォーキング、ジョギング又はマラソンといった他の運動時における筋電位を測定する場合にも同様に適用可能である。サイクリング運動の場合には、筋肉活動測定回数はペダリングの回数と一致するが、例えばウォーキング、ジョギング又はマラソンの場合には、筋肉活動測定回数は、歩数と一致する。
【００９２】
また、上記した実施形態では、足の外側広筋に筋電測定装置１０を装着して筋電位を測定する場合について説明したが、筋電測定装置１０が装着される箇所はこれに限定されるものではなく、例えば大腿直筋や大腿二頭筋、ヒラメ筋といった他の足の筋肉や、上腕二頭筋や上腕三頭筋等の腕の筋肉等、筋電位を測定して筋肉活動状態を測定したい他の筋肉に装着することとしても勿論構わない。
また、筋電測定装置１０を装着する箇所は１箇所に限定されず、複数の筋電測定装置１０を備え、各筋電測定装置１０をそれぞれ身体の筋肉に装着してもよい。尚、複数の筋電測定装置１０を備える場合には、そのうちのいずれか１つの筋電測定装置１０で筋肉活動周期（Ｔcyc）を測定すればよい。また、複数の筋電測定装置１０を備えてサイクリング運動の際の筋電位を測定する場合には、左右の足の筋肉にそれぞれ筋電測定装置１０を装着して、両足の筋電位を測定し、制御装置３０の表示部３３０に左右の足の測定結果を比較できるように表示させてもよい。
【００９３】
また、本実施形態においては、制御装置３０のＣＰＵ３２０がタイマー機能を備えており、測定モードが関節モードの場合には、測定開始信号を送信してからの経過時間を計測して所定時間が経過すると（予め定められている時間間隔ごとに）、筋電測定装置１０に次の測定開始信号を送信することにより、測定部１１０が予め定められている時間間隔毎に測定を行うように構成したが、測定部１１０が予め定められている時間間隔ごとに測定を行うようにする構成はここに例示したものに限定されない。
【００９４】
例えば、筋電測定装置１０のＣＰＵ１２０がタイマー機能を備え、測定モードが間欠モードの場合には、一旦制御装置３０のＣＰＵ３２０から測定開始信号が送信されると、筋電測定装置１０のＣＰＵ１２０が測定開始信号を受信してからの経過時間を計測するようにしてもよい。
【００９５】
この場合には、例えば入力部３１０等から測定モードの選択及び測定開始指示の入力があると、制御装置３０のＣＰＵ３２０は、筋電測定装置１０に対して測定モード信号及び測定開始信号を送信する。制御装置３０のＣＰＵ３２０から測定モード信号及び測定開始信号を受信すると、筋電測定装置１０のＣＰＵ１２０は、測定部１１０に対して筋電位の測定動作を開始するよう動作開始指示信号を出力する動作開始指示手段として機能する。測定部１１０は、ＣＰＵ１２０からの動作開始指示信号を受けて筋電位の測定を開始する。そして、測定モードが間欠モードであるときは、筋電測定装置１０のＣＰＵ１２０は、動作開始指示信号を出力してからの経過時間を計測し、所定時間が経過したか否かを判断する。そして、所定時間が経過すると、ＣＰＵ１２０が次の測定動作の開始を指示する動作開始指示信号を測定部１１０に出力する。同様に、ＣＰＵ１２０は、動作開始指示信号を測定部１１０に出力すると、動作開始指示信号を出力してからの経過時間の計測と、次の動作開始指示信号の出力とを繰り返す。
この場合も、各測定モードにおける測定部１１０に次の測定開始信号を出力するまでの所定時間間隔（所定時間）は、ユーザが任意に時間を設定してもよいし、予め一定の値がデフォルトとして設定され記憶部１４０等に保存されていてもよい。
【００９６】
また、本実施形態においては、ユーザが制御装置３０の入力部３１０から複数の測定モードの中から、希望する測定モードを入力・設定可能であり、入力された測定モードに応じた測定周期（予め定められている時間間隔）で測定部１１０による筋電位の測定を開始させることができる構成としたが、測定部１１０が予め定められている時間間隔で測定を行う構成は、ここに例示されたものに限定されない。
【００９７】
例えば、１分間のペダリング回数（ケイデンス）の大小に基づいて、ＣＰＵ３２０が自動的に測定周期を決定するように構成してもよい。
例えば、１分間のぺダリング回数が多い場合には測定周期を連続モードと判断して、連続して繰返し測定を行うようにし、１分間のぺダリング回数が少ない場合には測定周期を第２間欠モードと判断し、１０分程度の長い周期で測定を行うようにする。この場合には、１分間のペダリング回数（ケイデンス）がどの程度の場合にどの測定周期に設定するかを対応付けたテーブルが制御装置３０の記憶部３５０に記憶されるものとし、ＣＰＵ３２０はこのテーブルを参照することにより測定周期を設定する。尚、１分間のペダリング回数（ケイデンス）が何回以上であれば連続モードであり、何回以上であれば第２間欠モードとするかの閾値は予め設定されていてもよいし、ユーザが任意に設定できるようにしてもよい。
【００９８】
また、測定モードを選択するのではなく、例えばユーザが時間間隔を「１０分」とするように予め定める等、所望の時間を入力部３１０等から入力することにより、測定部１１０による筋電位の測定を行う測定周期（予め定められている時間間隔）を設定するようにしてもよい。
このように、ユーザが予め定められている時間間隔を入力することにより測定部１１０による筋電位の測定を行う測定周期（予め定められている時間間隔）を設定する場合には、当該設定された時間を経過したときに電源部１５０から測定部１１０への電源供給を停止する。
【００９９】
尚、本実施形態においては、筋肉活動時間（Ｔact）、筋肉活動周期（Ｔcyc）を筋電測定装置１０の側で算出し、この算出結果を測定結果として制御装置３０に送信するようにしたが、これらの算出処理を行うのは筋電測定装置１０に限定されない。例えば、筋電測定装置１０から制御装置３０に筋肉活動開始タイミング（Ｔａ）及び筋肉活動終了タイミング（Ｔｂ）を測定結果として送信し、これらに基づいて、制御装置３０の側で筋肉活動時間（Ｔact）、筋肉活動周期（Ｔcyc）を算出するように構成してもよい。また、筋電位の値についても、筋電測定装置１０から制御装置３０に筋電発生データをそのまま送信し、このデータに基づいて、制御装置３０の側で整流化平均値（ＡＲＶ）、平均周波数（ＭＰＦ）を算出するように構成してもよい。
このように、制御装置３０の側で筋肉活動時間（Ｔact）、筋肉活動周期（Ｔcyc）等を算出する場合には、筋電測定装置１０から制御装置３０にデータが送信されたときに電源部１５０から測定部１１０への電源供給を停止する。
【０１００】
また、本実施形態において、スイッチング回路１６０により電源部１５０からの電源のＯＮ／ＯＦＦが切り替えられるのは、前述の通り測定部１１０のみであるため、電源部１５０から測定部１１０への電源供給が停止しても記憶部１４０は電源供給状態となっている。このため、筋電測定装置１０から制御装置３０へのデータ送信前であっても、記憶部１４０にデータが書き込まれた後（記憶完了後）であれば、スイッチング回路１６０により電源部１５０から測定部１１０への電源供給を停止させるようにしてもよい。
【０１０１】
さらに、制御装置３０を次のような構成としてもよい。すなわち、記憶部３５０に記憶される測定開始タイミング（Ｔ）と、筋肉活動開始タイミング（Ｔａ）と、筋肉活動状態データ等の各データをパソコン等の外部で利用可能なように、メモリカード等の可搬型の情報記憶媒体に記憶する構成としてもよい。或いは、上述の各データを外部に伝送するための機能部を設けることとしてもよい。
【０１０２】
また、送受信部１３０，３４０を安く実現するため、測定開始指示の入力や測定モードの設定を筋電測定装置１０の側で可能とし、筋電測定装置１０は送受信機能のうち送信機能のみを有し、一方、制御装置３０は送受信機能のうち受信機能のみを有するように構成してもよい。この場合には、筋電測定装置１０側に入力部が必要となる。
【０１０３】
さらに、現在表示の測定結果を直前の測定結果と比較しやすいように、例えば、制御装置３０において、直前の筋肉活動周期（ピッチ）に対し、次回の筋肉活動周期（ピッチ）の増減に応じて、色を変化させて表示するようにしてもよい。例えば、筋肉活動周期（ピッチ）が増加した場合には「赤」、減少の場合には「緑」、変化なしの場合には「黄」とする。
【０１０４】
また、制御装置３０又は筋電測定装置１０に音声等を出力可能な出力手段を設けて、測定開始指示に基づいて新たな測定が行われ、その結果得られた新たなデータが制御装置３０の表示部３３０に表示されると、出力手段から音声等を出力させてその旨をユーザに報知するようにしてもよい。
尚、新たなデータが制御装置３０の表示部３３０に表示されたことをユーザに報知する手段は音声出力手段に限定されず、例えば制御装置３０又は筋電測定装置１０に振動を発生させる手段を備え、新たなデータが制御装置３０の表示部３３０に表示されると、振動をユーザの身体に伝えることによって報知するようにしてもよい。
【０１０５】
また、本実施形態においては、筋電測定装置１０と制御装置３０とをそれぞれ別体として備える筋肉活動測定システムについて説明したが、筋電測定装置１０と制御装置３０とを一体とし、筋電位等の筋肉活動情報の測定、筋肉活動情報を測定する際の運動条件の設定、筋肉活動情報を測定することによって得られた測定結果の表示、測定結果を表示する間隔の設定とを一体の装置において実現する筋肉活動測定装置であってもよい。
【０１０６】
その他、本発明が上記実施の形態に限らず適宜変更可能であるのは勿論である。
【０１０７】
次に、図１１から図１６を参照しつつ、本発明に係る電源制御装置の第２の実施形態について説明する。尚、第２の実施形態は、電源制御装置の装置構成は第１の実施形態と同様であり、生体情報測定システムが、連続的に測定される筋肉活動状態について複数回の平均値を算出して、これを表示させる点で第１の実施形態と異なるものであるので、以下においては、特に第１の実施形態と異なる点について説明する。
【０１０８】
本実施形態において、生体情報測定システムは、第１の実施形態と同様の筋電位測定装置と制御装置とを備えて構成されている。
【０１０９】
まず、筋電測定装置は、第１の実施形態とほぼ同様に筋電測定装置を制御するＣＰＵを備えている。ＣＰＵは、第１の実施形態と同様に、制御装置から測定開始信号が送信されると、測定部に測定動作の開始を指示する動作開始指示信号を出力する。また、ＣＰＵは、測定部により連続的に測定される筋電位（筋肉活動情報）に基づいて、筋肉活動開始時点である筋肉活動開始タイミング（Ｔａ）と、筋肉活動終了時点である筋肉活動終了タイミング（Ｔｂ）を検出することにより、筋肉活動時間（Ｔact）を検出し、さらに次のペダリング時の筋肉活動開始タイミング（Ｔａ）を検出することによって、ペダリング運動における周期（筋肉活動周期（Ｔcyc））を検出する。さらに、測定された筋電位の値に基づいて、整流化平均値（ＡＲＶ）と平均周波数（ＭＰＦ）とを算出する。
さらに、本実施形態においては、ＣＰＵは、筋肉活動時間（Ｔact）、筋肉活動周期（Ｔcyc）、整流化平均値（ＡＲＶ）、平均周波数（ＭＰＦ）のそれぞれについて、予め定められている筋肉活動測定回数（サイクリング運動の場合にはペダリング回数）毎の平均値（average；図１１において「av」とする。）を算出し、算出された各値の平均値と筋肉活動測定回数とを対応付けた平均値データを生成する。
【０１１０】
平均値を筋肉活動測定回数の何回分を単位として算出するかは、選択された測定モードによって自動的に決定される。すなわち、例えば、連続モードであれば筋肉活動測定回数が５回になる毎に平均値を算出し、第１間欠モードであれば筋肉活動測定回数が１０回になる毎に平均値を算出し、第２間欠モードであれば筋肉活動測定回数が１５回になる毎に平均値を算出するというように、測定モードと平均値を求める際の予め定められている筋肉活動測定回数とが対応付けられている。
尚、平均値を求める際の予め定められている筋肉活動測定回数を決定する手法はここに例示したものに限定されない。例えば、測定モードに関わらず予め平均値を算出する単位が設定されていてもよいし、ユーザが任意に所望の回数を設定できるようにしてもよい。本実施形態においては、以下、平均値を求める際の予め定められている筋肉活動測定回数が選択された測定モードによって自動的に決定される場合を例として説明する。
【０１１１】
測定部により測定された結果及びＣＰＵにより算出された結果は記憶部５４０の各エリアに記憶される。そしてＣＰＵは、前記平均値データを測定結果として筋肉活動開始タイミング（Ｔａ）及び測定開始タイミング（Ｔ）とともに制御装置に送信するようになっている。
【０１１２】
図１１に記憶部５４０の具体的な構成例を示す図であり、本実施形態を実現するため、前述の筋肉活動状態測定処理を実行するための筋肉活動状態測定プログラムが筋肉活動状態測定プログラムエリア５４１に記憶されている。また、データとして、筋電発生データと、測定開始タイミング（Ｔ）と、筋肉活動開始タイミング（Ｔａ）と、筋肉活動終了タイミング（Ｔｂ）と、筋肉活動時間（Ｔact）と、筋肉活動周期（Ｔcyc）と、筋肉活動測定回数と、整流化平均値（ＡＲＶ）と、平均周波数（ＭＰＦ）と、前記のようにＣＰＵにより算出された各値の平均値が筋肉活動測定回数と対応付けられた送信用データとが、筋電発生データエリア５４２と、測定開始タイミング（Ｔ）エリア５４３と、筋肉活動開始タイミング（Ｔａ）エリア５４４と、筋肉活動終了タイミング（Ｔｂ）エリア５４５と、筋肉活動時間（Ｔact）エリア５４６と、筋肉活動周期（Ｔcyc）エリア５４７と、筋肉活動測定回数エリア５４８と、整流化平均値（ＡＲＶ）エリア５４９と、平均周波数（ＭＰＦ）エリア５５０と、平均値データエリア５５１とにそれぞれ記憶され、それぞれペダリングのサイクル毎に上書きされて更新される。
【０１１３】
図１２は、図１１に示す平均値データエリア５５１のデータ構成例を示す図である。同図に示すように、平均値データエリア５５１には、測定結果である筋肉活動時間（Ｔact）、筋肉活動周期（Ｔcyc）、整流化平均値（ＡＲＶ）、及び平均周波数（ＭＰＦ）の各値の平均値が、当該平均値が何回目から何回目までの筋肉活動測定回数の平均値であるかの情報と対応付けられて記憶されている。平均値データエリア５５１は、制御装置にデータを送信するとリセットされ、新たな測定結果が予め定められている回数分となると、当該測定結果についての平均値が算出されて平均値データエリア５５１に記憶される。
【０１１４】
また、本実施形態において、ＣＰＵは、第１の実施形態と同様に、電源部から測定部への電源供給を制御する電源制御手段として機能する。
【０１１５】
ここで、筋電測定装置のＣＰＵによる電源部から測定部への電源供給のＯＮ、ＯＦＦの切り替え処理について説明する。
【０１１６】
まず、測定モードが連続モードである場合の電源のＯＮ／ＯＦＦの切り替えタイミングは、第１の実施形態で説明したのと同様に、制御装置から測定開始信号を受信して、測定開始タイミング（Ｔ）となると、ＣＰＵが、スイッチング回路を動作させることにより、電源部１５０から測定部１１０への電源供給がＯＮとなって給電状態となる。また、ＣＰＵが筋肉活動終了タイミング（Ｔｂ）と判定してからタイマーの設定時間が経過すると、ＣＰＵは、スイッチング回路を動作させることにより、電源部から測定部への電源供給がＯＦＦとなって給電停止状態となる。
【０１１７】
また、間欠モードの場合には、図１３に示すように、電源部から測定部への電源供給がＯＮとなり、給電状態となるタイミングは、連続モードの場合と同様、制御装置から測定開始信号を受信して、測定開始タイミング（Ｔ）となったときである。そして、測定部が平均値を求める際の予め定められている筋肉活動測定回数分（ｎ回分）の測定を行い、送受信部が制御装置に測定結果を送信すると（図１３における送信終了時点）、ＣＰＵがスイッチング回路を構成するＦＥＴのゲートに対して印加される電圧をＬＯＷとするよう指示信号を出力する。これにより、ＦＥＴのソース・ドレイン間に電流が流れずＦＥＴがＯＦＦ状態となり、電源部から測定部への電源供給がＯＦＦとなって給電停止状態となる。そして、制御装置から次の測定開始信号を受信すると再度電源部から測定部への電源供給がＯＮとなり、給電状態となる。
【０１１８】
次に、本実施形態において、制御装置は、第１の実施形態とほぼ同様に制御装置を制御するＣＰＵを備えている。ＣＰＵは、第１の実施形態と同様に、筋電測定装置に対して測定開始信号を送信するとともに、測定開始信号を送信してからの経過時間を計測し、予め定められている時間が経過するごとに次の測定開始信号を筋電測定装置に送信する。また、ＣＰＵは、筋電測定装置から送信された測定結果を受信して記憶部６５０に記憶させるとともに、表示部に表示させるようになっている。
【０１１９】
図１４は、記憶部６５０の具体的な構成例を示す図であり、本実施形態を実現するため、前述の筋肉活動状態表示処理を実行するための筋肉活動状態表示プログラムエリア６５１を備えている。また、データとして、測定開始タイミング（Ｔ）と、筋肉活動開始タイミング（Ｔａ）と、筋肉活動状態データとが、測定開始タイミング（Ｔ）エリア６５２と、筋肉活動開始タイミング（Ｔａ）６５３と、筋肉活動状態データエリア６５４とにそれぞれ記憶されている。
【０１２０】
本実施形態において、筋肉活動状態データエリア６５４には、筋肉活動測定回数を記憶する筋肉活動測定回数エリア６５５と、筋肉活動時間（Ｔact）、筋肉活動周期（Ｔcyc）、整流化平均値（ＡＲＶ）、平均周波数（ＭＰＦ）の各値の平均値データが記憶される平均値データエリア６５６とが備えられている。平均値データは、筋肉活動測定回数エリア６５５に記憶されている筋肉活動測定回数と対応付けられて記憶されている。
【０１２１】
尚、その他の制御構成、及び装置各部の構成は、第１の実施形態に示したものと同様であるので、その説明を省略する。
【０１２２】
次に、本実施形態における筋電測定装置及び制御装置における処理の流れについて、図１５及び図１６を参照して説明する。
【０１２３】
先ず、制御装置において入力部から測定モードが入力され（ステップａ５１）、測定開始指示が入力された場合（ステップａ５２）には、制御装置のＣＰＵが、筋電測定装置に対して、設定された測定モードを指示する測定モード信号と測定開始を指示する測定開始信号を送信する（ステップａ５３）。
【０１２４】
また、制御装置のＣＰＵは、入力部から入力された測定モードが連続モードかを判断する（ステップａ５４）。測定モードが連続モードでない場合（間欠モードが選択  ステップａ５４：ＮＯ）には、測定開始信号を送信してからの経過時間を計測し、所定時間が経過したか否かを判断する。すなわち、間欠モードが選択された場合（ステップａ５４：ＮＯ）には、制御装置のＣＰＵは選択された間欠モードが第１間欠モードかを判断する（ステップａ５５）。第１間欠モードである場合（ステップａ５５：ＹＥＳ）には、第１間欠モードにおける所定時間が経過したか否かを常に判断する（ステップａ５６）。また、第１間欠モードでない場合（ステップａ５５：ＮＯ）には第２間欠モードが選択されたと判断し、第２間欠モードにおける所定時間が経過したか否かを常に判断する（ステップａ５７）。そして所定時間が経過すると（ステップａ５６及びステップａ５７：ＹＥＳ）、筋電測定装置に対して再度測定開始信号を送信する。
【０１２５】
制御装置からの測定モード信号及び測定開始信号に応答して筋電測定装置では、ＣＰＵが各部を制御することにより、筋肉活動状態測定処理を実行する。すなわち、先ず、測定モード信号及び測定開始信号を受信すると（ステップｂ５１）、ＣＰＵがスイッチング回路を動作させて、電源部から測定部に電源を供給する（ステップｂ５２）。またＣＰＵは、ＣＰＵが測定部に対して動作開始指示信号を出力する（ステップｂ５３）。また、ＣＰＵは、平均値を算出する際の筋肉活動測定回数のカウンタを測定モードに従った回数（ｎ回）に設定する（ステップｂ５４）。
【０１２６】
尚、本実施形態において、動作開始指示信号を受けて測定部が筋電位の測定を開始し、測定された筋肉活動開始タイミング（Ｔａ）及び筋肉活動終了タイミング（Ｔｂ）に基づいて筋肉活動時間（Ｔact）及び筋肉活動周期（Ｔcyc）を算出し、筋電位の値に基づいて整流化平均値（ＡＲＶ）及び平均周波数（ＲＰＦ）を算出する処理（図１５及び図１６におけるステップｂ５５からステップｂ７２）は、第１の実施形態において説明した図９及び図１０のステップｂ４からステップｂ２４までの処理と同じであることから、説明を省略する。
【０１２７】
筋電測定装置のＣＰＵは、筋肉活動時間（Ｔact）、筋肉活動周期（Ｔcyc）、整流化平均値（ＡＲＶ）、平均周波数（ＲＰＦ）を算出すると、筋肉活動測定回数が予め定められている回数（ｎ回）となったかを判断し（ステップｂ７３）、筋肉活動測定回数が予め定められている回数（ｎ回）に達した場合には（ステップｂ７３：ＹＥＳ）、筋肉活動時間（Ｔact）、筋肉活動周期（Ｔcyc）、整流化平均値（ＡＲＶ）、平均周波数（ＲＰＦ）の各値について、予め定められている回数（ｎ回）分の平均値を算出して（ステップｂ７４）、平均値データを生成し、記憶部５４０の平均値データエリア５５１に記憶する（ステップｂ７５）。
【０１２８】
続いてＣＰＵ１２０は、ステップｂ７４で算出した平均値データの各値をステップｂ６９で更新した筋肉活動測定回数と対応付けて、測定結果として制御装置に送信する（ステップｂ７６）。
【０１２９】
他方、筋肉活動測定回数が予め定められている回数（ｎ回）に達していない場合には（ステップｂ７３：ＮＯ）、タイマーをリセットし（ステップ７７）、予め定められている回数（ｎ回）に達するまでステップｂ６１からステップｂ７２の処理を繰り返す。
【０１３０】
また、筋肉活動測定回数が予め定められている回数（ｎ回）に達して（ステップｂ７１：ＹＥＳ）、所定の測定結果が制御装置に送信されると（ステップｂ７６）、ＣＰＵは、さらに測定モードが連続モードか否かを判断する（ステップ７８）。そして、測定モードが連続モードである場合（ステップ７８：ＹＥＳ）には、平均値を算出する際の筋肉活動測定回数のカウンタを再度測定モードに従った回数（ｎ回）に設定する（ステップｂ７９）とともに、タイマーをリセットし（ステップ７７）、再度予め定められている回数（ｎ回）に達するまでステップｂ６１からステップｂ７２の処理を繰り返す。
他方、測定モードが連続モードでない場合（ステップ７８：ＮＯ）には、一旦筋電位の測定を停止し（筋電位測定の終了）、電源部から測定部への電源供給を停止する（ステップ８０）。
【０１３１】
一方、制御装置のＣＰＵは、測定結果を受信すると（ステップａ５８）、受信した測定結果を、記憶部６５０の測定開始タイミング（Ｔ）エリア６５２、筋肉活動開始タイミング（Ｔａ）エリア６５３、筋肉活動状態データエリア６５４の各エリアに追加して記憶する（ステップａ５９）。
【０１３２】
そして、制御装置のＣＰＵは、筋肉活動開始時刻、現在時刻と、筋肉活動周期（Ｔcyc）の平均値及び当該平均値が何回目からの何回目までの筋肉活動測定回数の筋肉活動周期（Ｔcyc）に基づいて算出されたかを表示するように表示部の表示を制御する（ステップａ６０）。尚、表示部に表示される内容はここに例示したものに限定されず、例えば、筋肉活動周期（Ｔcyc）以外の値の平均値を表示させるようにしてもよい。
【０１３３】
さらに制御装置のＣＰＵは、次の測定結果を受信したかを判断し（ステップａ６１）、次の測定結果を受信した場合には（ステップａ６１：ＹＥＳ）、ＣＰＵはステップａ５９に戻って新たに取得した測定結果を、測定順に記憶部６５０の各エリアに記憶させるとともに、現在表示されている内容に代えて新たに取得した測定結果に基づく表示を表示させるように表示部を制御する。他方、次の測定結果を受信していない場合には（ステップａ６１：ＮＯ）、ＣＰＵは筋肉活動状態表示処理を終了する。
【０１３４】
以上のように、本実施形態によれば、所定回数ごとの平均値を求めて表示部に表示させることができるので、１回ごとの測定結果と異なり、ばらつきのない結果を表示させることができ、ユーザが自分の運動のペースを客観的に判断することができる。
【０１３５】
尚、本発明が上記実施の形態に限らず適宜変更可能であるのは第１の実施形態と同様である。
【０１３６】
次に、図１７から図２１を参照しつつ、本発明に係る電源制御装置の第３の実施形態について説明する。尚、第３の実施形態は、電源制御装置の装置構成は第１の実施形態及び第２の実施形態と同様であり、生体情報測定システムが、連続的に測定される筋肉活動状態について複数回の平均値を算出して、これを表示させる点で第２の実施形態と共通する。ただ、第３の実施形態は、筋肉活動状態についての平均値を制御装置の側で算出する点で、第２の実施形態と異なるものであるので、以下においては、特に第１の実施形態及び第２の実施形態と異なる点について説明する。
【０１３７】
本実施形態において、生体情報測定システムは、第１の実施形態及び第２の実施形態と同様の筋電位測定装置と制御装置とを備えて構成されている。
【０１３８】
まず、筋電測定装置は、第１の実施形態及び第２の実施形態とほぼ同様に筋電測定装置を制御するＣＰＵを備えている。ＣＰＵは、第１の実施形態及び第２の実施形態と同様に、制御装置から測定モード信号及び測定開始信号が送信されると、電源部から測定部への電源供給を開始させるとともに、測定部に測定動作の開始を指示する動作開始指示信号を出力する。また、ＣＰＵは、測定部により測定される筋電位（筋肉活動情報）に基づいて、筋肉活動開始時点である筋肉活動開始タイミング（Ｔａ）と、筋肉活動終了時点である筋肉活動終了タイミング（Ｔｂ）を検出することにより、筋肉活動時間（Ｔact）を検出し、さらに次のペダリング時の筋肉活動開始タイミング（Ｔａ）を検出することによって、ペダリング運動における周期（筋肉活動周期（Ｔcyc））を検出する。さらに、測定された筋電位の値に基づいて、整流化平均値（ＡＲＶ）と平均周波数（ＭＰＦ）とを算出する。測定部により測定された結果及びＣＰＵにより算出された結果は記憶部５４０の各エリアに記憶される。そしてＣＰＵは、筋肉活動時間（Ｔact）、筋肉活動周期（Ｔcyc）、整流化平均値（ＡＲＶ）と平均周波数（ＭＰＦ）の各値を測定結果として筋肉活動開始タイミング（Ｔａ）、測定開始タイミング（Ｔ）とともに制御装置に送信するようになっている。
【０１３９】
図１７に記憶部７４０の具体的な構成例を示す図であり、本実施形態を実現するため、前述の筋肉活動状態測定処理を実行するための筋肉活動状態測定プログラムが筋肉活動状態測定プログラムエリア７４１に記憶されている。また、データとして、筋電発生データと、測定開始タイミング（Ｔ）と、筋肉活動開始タイミング（Ｔａ）と、筋肉活動終了タイミング（Ｔｂ）と、筋肉活動時間（Ｔact）と、筋肉活動周期（Ｔcyc）と、筋肉活動測定回数と、整流化平均値（ＡＲＶ）と、平均周波数（ＭＰＦ）と、前記のようにＣＰＵにより算出された各値の平均値が筋肉活動測定回数と対応付けられた送信用データとが、筋電発生データエリア７４２と、測定開始タイミング（Ｔ）エリア７４３と、筋肉活動開始タイミング（Ｔａ）エリア７４４と、筋肉活動終了タイミング（Ｔｂ）エリア７４５と、筋肉活動時間（Ｔact）エリア７４６と、筋肉活動周期（Ｔcyc）エリア７４７と、筋肉活動測定回数エリア７４８と、整流化平均値（ＡＲＶ）エリア７４９と、平均周波数（ＭＰＦ）エリア７５０とにそれぞれ記憶され、それぞれペダリングのサイクル毎に上書きされて更新される。
【０１４０】
次に、本実施形態において、制御装置は、第１の実施形態及び第２の実施形態とほぼ同様に制御装置を制御するＣＰＵを備えている。ＣＰＵは、第１の実施形態及び第２の実施形態と同様に、筋電測定装置に対して測定モード信号及び測定開始信号を送信するとともに、測定開始信号を送信してからの経過時間を計測し、予め定められている時間が経過するごとに次の測定開始信号を筋電測定装置に送信する。また、ＣＰＵは、筋電測定装置から送信された測定結果を受信して記憶部８５０に記憶させるとともに、表示部に表示させるようになっている。
【０１４１】
さらに、本実施形態においては、ＣＰＵは、筋電測定装置から送信された測定結果が予め定められている筋肉活動測定回数（サイクリング運動の場合にはペダリング回数）分蓄積されると、筋肉活動時間（Ｔact）、筋肉活動周期（Ｔcyc）、整流化平均値（ＡＲＶ）、平均周波数（ＭＰＦ）のそれぞれについて、当該予め定められている回数（ｎ回）毎の平均値（average；図１９において「av」とする。）を算出し、算出された各値の平均値と筋肉活動測定回数とを対応付けた平均値データを生成する。
第２の実施形態で述べたと同様に、平均値を筋肉活動測定回数の何回分を単位として算出するかは特に限定されないが、本実施形態においては、以下、平均値を求める際の予め定められている筋肉活動測定回数が、選択された測定モードによって自動的に決定される場合を例として説明する。
【０１４２】
図１８は、記憶部８５０の具体的な構成例を示す図であり、本実施形態を実現するため、前述の筋肉活動状態表示処理を実行するための筋肉活動状態表示プログラムエリア８５１を備えている。また、データとして、測定開始タイミング（Ｔ）と、筋肉活動開始タイミング（Ｔａ）と、筋肉活動状態データと、平均値データとが、測定開始タイミング（Ｔ）エリア８５２と、筋肉活動開始タイミング（Ｔａ）８５３と、筋肉活動状態データエリア８５４と、平均値データエリア８６０とにそれぞれ記憶されている。
【０１４３】
このうち、筋肉活動状態データエリア８５４は、筋肉活動測定回数、筋肉活動時間（Ｔact）と、筋肉活動周期（Ｔcyc）と、整流化平均値（ＡＲＶ）と、平均周波数（ＭＰＦ）とを記憶する筋肉活動測定回数エリア８５５、筋肉活動時間（Ｔact）エリア８５６と、筋肉活動周期（Ｔcyc）エリア８５７と、整流化平均値（ＡＲＶ）エリア８５８と、平均周波数（ＭＰＦ）エリア８５９とを備えている。
【０１４４】
図１９は、図１８に示す平均値データエリア８６０のデータ構成例を示す図である。同図に示すように、平均値データエリア８６０には、測定結果である筋肉活動時間（Ｔact）、筋肉活動周期（Ｔcyc）、整流化平均値（ＡＲＶ）、及び平均周波数（ＭＰＦ）の各値の平均値が、当該平均値が何回目から何回目までの筋肉活動測定における平均値であるかの情報と対応付けられて記憶されている。平均値データエリア８６０は、筋電測定装置から送信される新たな測定結果が予め定められている回数分となるとリセットされ、当該新たな測定結果についての平均値が算出されて平均値データエリア８６０に記憶される。
【０１４５】
尚、その他の制御構成、及び装置各部の構成は、第１の実施形態及び第２の実施形態に示したものと同様であるので、その説明を省略する。
【０１４６】
次に、本実施形態における筋電測定装置及び制御装置における処理の流れについて、図２０及び図２１を参照して説明する。
【０１４７】
先ず、制御装置において入力部から測定モードが入力され（ステップａ８１）、測定開始指示が入力された場合（ステップａ８２）には、制御装置のＣＰＵが、筋電測定装置に設定された測定モードを指示する測定モード信号と測定開始を指示する測定開始信号を送信する（ステップａ８３）。
【０１４８】
また、制御装置のＣＰＵは、入力部から入力された測定モードが連続モードかを判断する（ステップａ８４）。測定モードが連続モードでない場合（間欠モードが選択  ステップａ８４：ＮＯ）には、測定開始信号を送信してからの経過時間を計測し、所定時間が経過したか否かを判断する。すなわち、間欠モードが選択された場合（ステップａ８４：ＮＯ）には、制御装置のＣＰＵは選択された間欠モードが第１間欠モードかを判断する（ステップａ８５）。第１間欠モードである場合（ステップａ８５：ＹＥＳ）には、第１間欠モードにおける所定時間が経過したか否かを常に判断する（ステップａ８６）。また、第１間欠モードでない場合（ステップａ８５：ＮＯ）には第２間欠モードが選択されたと判断し、第２間欠モードにおける所定時間が経過したか否かを常に判断する（ステップａ８７）。そして所定時間が経過すると（ステップａ８６及びステップａ８７：ＹＥＳ）、筋電測定装置に対して再度測定開始信号を送信する。
【０１４９】
制御装置からの測定開始信号に応答して筋電測定装置では、ＣＰＵが各部を制御することにより、筋肉活動状態測定処理を実行する。
尚、本実施形態において測定開始信号を受信してからＣＰＵが電源部から測定部への源供給を開始させるとともに、測定部に対して動作開始指示信号を出力することにより測定部が筋電位の測定を開始し、測定された筋肉活動開始タイミング（Ｔａ）及び筋肉活動終了タイミング（Ｔｂ）に基づいて筋肉活動時間（Ｔact）及び筋肉活動周期（Ｔcyc）とを算出し、筋電位の値に基づいて整流化平均値（ＡＲＶ）及び平均周波数（ＲＰＦ）とを算出するとともに、測定結果を制御装置に送信する処理（図２０及び図２１におけるステップｂ８１からステップｂ１０５）は、第１の実施形態において説明した図９及び図１０のステップｂ１からステップｂ２５までの処理と同じであることから、説明を省略する。
【０１５０】
制御装置のＣＰＵは、測定結果を受信すると（ステップａ８８）、受信した測定結果を、記憶部８５０の測定開始タイミング（Ｔ）エリア８５２、筋肉活動開始タイミング（Ｔａ）エリア８５３、筋肉活動状態データエリア８５４の各エリアに追加して記憶する（ステップａ８９）。
【０１５１】
制御装置のＣＰＵは、筋電測定装置から送信される測定結果が、筋肉活動測定回数の予め定められている回数（ｎ回）分蓄積されたかを判断し（ステップｂ９０）、筋肉活動測定回数が予め定められている回数（ｎ回）分蓄積されていない場合には（ステップｂ９０：ＮＯ）、予め定められている回数（ｎ回）に達するまで判断を繰り返す。
【０１５２】
他方、筋肉活動測定回数が予め定められている回数（ｎ回）分蓄積された場合には（ステップｂ９０：ＹＥＳ）、筋肉活動時間（Ｔact）、筋肉活動周期（Ｔcyc）、整流化平均値（ＡＲＶ）、平均周波数（ＲＰＦ）の各値について、予め定められている回数（ｎ回）分の平均値を算出して（ステップｂ９１）、平均値データを生成し、何回目から何回目までの筋肉活動測定回数に対応するデータの平均値であるかを対応付けて記憶部８４０の平均値データエリア８６０に記憶する（ステップｂ９２）。
【０１５３】
そして、制御装置のＣＰＵは、筋肉活動開始時刻、現在時刻と、筋肉活動周期（Ｔcyc）の平均値及び当該平均値が何回目からの何回目までの筋肉活動測定における筋肉活動周期（Ｔcyc）に基づいて算出されたかを表示するように表示部の表示を制御する（ステップａ９３）。尚、表示部に表示される内容はここに例示したものに限定されず、例えば、筋肉活動周期（Ｔcyc）以外の値の平均値を表示させるようにしてもよい。
【０１５４】
制御装置のＣＰＵは、さらに予め定められている回数（ｎ回）分蓄積されたかを判断し（ステップａ９４）、さらに予め定められている回数（ｎ回）分蓄積された場合には（ステップａ９４：ＹＥＳ）、ＣＰＵはステップａ９１に戻って新たに予め定められている回数（ｎ回）分蓄積された測定結果の平均値を算出する処理を行うとともに、算出した測定結果を記憶部８５０の各エリアに記憶させる。また、新たに平均値を算出したときには、現在表示されている内容に代えて新たに算出した平均値データに基づく表示を表示させるように表示部を制御する。他方、新たな測定結果が予め定められている回数（ｎ回）分蓄積されない場合には（ステップａ９４：ＮＯ）、ＣＰＵは筋肉活動状態表示処理を終了する。
【０１５５】
以上のように、本実施形態によれば、所定回数ごとの平均値を求めて表示部に表示させることができるので、１回ごとの測定結果と異なり、ばらつきのない結果を表示させることができ、ユーザが自分の運動のペースを客観的に判断することができる。そして、このような平均値を算出するシステムにおいても測定部に電源を供給している時間を必要最小限に抑えることができ、消費電力を低減させて、小型軽量でかつ長時間の測定に耐えるシステムとすることができる。
【０１５６】
尚、本発明が上記実施の形態に限らず適宜変更可能であるのは第１の実施形態及び第２の実施形態と同様である。
【０１５７】
次に、図２２を参照しつつ、本発明に係る電源制御装置の第４の実施形態として、筋電位を測定する測定装置と制御装置とが一体化した生体情報測定装置としての筋電測定装置に適用される電源制御装置について説明する。尚、第４の実施形態において、測定部、表示部、入力部等の構成は、第１から第３の実施形態で説明したものと同様であることからその説明を省略する。
【０１５８】
本実施形態において、筋電測定装置９０は、測定部９１０と、各構成部を制御するＣＰＵ９２０と、測定情報記憶部９４０と、表示情報記憶部９５０と、入力部９６０と、表示部９９０と、電源部９７０と、スイッチング回路９８０と等を備えて構成されている。測定部９１０は、第１から第３の実施形態で説明したものと同様に電極部９１１、インピーダンス変換機器９１２、増幅器９１３、フィルタ９１４と、Ａ／Ｄ変換機９１５等を備えて構成されている。
【０１５９】
測定情報記憶部９４０は、第１から第３の実施形態において、筋電測定装置側の記憶部として説明したものとほぼ同様の構成となっており、筋肉活動状態測定プログラム等の各種プログラムと、筋電位を測定することによって得られた各種データを記憶している。
また、測定情報記憶部９５０は、第１から第３の実施形態において、制御装置側の記憶部として説明したものとほぼ同様の構成となっており、筋肉活動状態表示プログラム等の各種プログラムと、測定結果を表示するために必要な各種データを記憶している。
【０１６０】
入力部９６０は、第１から第３の実施形態において制御装置の入力部として説明したものと同様に、ユーザが測定開始指示や測定モード等を入力することができるようになっている。
【０１６１】
また、ＣＰＵ９２０は、第１から第３の実施形態における制御装置側のＣＰＵと筋電測定装置側のＣＰＵの機能を併せ持つものであり、装置各部を制御して筋肉活動状態測定処理及び筋肉活動状態表示処理を行うようになっている。
具体的には、ＣＰＵ９２０は、測定部９１０の測定によって得られたデータに基づいて筋電活動時間（Ｔact）、筋電活動周期（Ｔcyc）等を算出する。また、筋電活動周期（Ｔcyc）やこれに基づいて得られた所定時間内の筋電活動周期（Ｔcyc）の回数等の筋肉活動状態を表示部９９０に表示させるようになっている。
さらに、ＣＰＵ９２０は、入力部９６０から測定開始指示が入力されたときに、測定部１１０に対して測定動作の開始を指示する動作指示信号を出力する動作開始指示手段として機能する。
また、ＣＰＵ９２０は、スイッチング回路９８０を動作させて電源部９７０から測定部９１０への電力供給を制御する電源制御手段として機能する。本実施形態においては、ＣＰＵ９２０、電源部９７０、スイッチング回路９８０等によって電源制御装置が構成される。
【０１６２】
その他の構成については、第１から第３の実施形態におけるものとほぼ同様であるため、その説明を省略する。
【０１６３】
次に、本実施形態における電源制御装置の作用について説明する。尚、筋電位の測定処理、測定結果の表示処理については、第１から第３の実施形態におけるものとほぼ同様であるため、その説明を省略し、電源部９７０から測定部９１０への電力供給を制御する電源制御処理について説明する。
【０１６４】
ＣＰＵ９２０による電源部９７０から測定部９１０への電力供給制御は、例えば、以下のように行われる。
まず、入力部から設定された測定モードが連続モードである場合の電源のＯＮ／ＯＦＦの切り替えタイミングについて、図２３（Ａ）を参照しつつ説明する。
入力部９６０から測定開始指示が入力されて、測定開始タイミング（Ｔ）となると、ＣＰＵ９２０が、スイッチング回路９８０を構成するＦＥＴのゲートに対して予め定められている電圧を印加されるよう指示信号を出力する。これにより、ＦＥＴのソース・ドレイン間に電流が流れＦＥＴがＯＮ状態となり、測定部９１０側の回路に通電され、電源部９７０から測定部９１０への電源供給がＯＮとなって給電状態となる。また、ＣＰＵ９２０が筋肉活動終了タイミング（Ｔｂ）と判定してからタイマーの設定時間が経過すると、ＣＰＵ９２０は、スイッチング回路９８０を構成するＦＥＴのゲートに対して印加される電圧をＬＯＷとするよう指示信号を出力する。これにより、ＦＥＴのソース・ドレイン間に電流が流れずＦＥＴがＯＦＦ状態となり、電源部９７０から測定部９１０への電源供給がＯＦＦとなって給電停止状態となる。
【０１６５】
次に、測定モードが間欠モードであり予め定められている時間間隔ごとに１回筋肉活動周期を測定する場合の電源のＯＮ／ＯＦＦの切り替えタイミングについて、図２３（Ｂ）を参照しつつ説明する。この場合も、連続モードのときと同様に、入力部９６０から測定開始指示が入力されて、測定開始タイミング（Ｔ）となると、ＣＰＵ９２０が、スイッチング回路９８０を動作させることにより、電源部９７０から測定部９１０への電源供給がＯＮとなり、給電状態となる。また、ＣＰＵ９２０は、測定部９１０によって得られた測定結果が測定情報記憶部９４０に書き込まれると（図２３（Ｂ）における記憶完了時点）、スイッチング回路９８０を構成するＦＥＴのゲートに対して印加される電圧をＬＯＷとするよう指示信号を出力する。これにより、ＦＥＴのソース・ドレイン間に電流が流れずＦＥＴがＯＦＦ状態となり、電源部９７０から測定部９１０への電源供給がＯＦＦとなって給電停止状態となる。
尚、間欠モードであっても、所定の測定時間（又は測定回数）を予め定めておき、一旦測定を開始すると当該設定された測定時間（又は測定回数）を経過するまでは測定を継続するようになっている場合には、当該設定された測定時間（又は測定回数）を経過後に電源がＯＦＦとなるようにする点は第１から第３の実施形態において説明したのと同様である。
【０１６６】
以上説明したように、本実施形態によれば、測定部等を備える測定装置と表示部等を備える制御装置とが一体となった筋電測定装置に設けられる電源制御装置である場合でも、電源部９７０から測定部９１０に対する電源供給を必要最小限に抑えることにより、消費電力を低減させるとともに、筋電測定装置９０の小型軽量化を実現しつつ長時間の測定を可能とすることができる。
【０１６７】
なお、筋肉活動測定回数が予め定められている回数（ｎ回）に達するごとに平均値を算出してこれを測定結果として表示部９９０に表示させるようにしてもよい。この場合には、第２の実施形態及び第３の実施形態で説明したのとほぼ同様に、ｎ回分のデータを測定情報記憶部９４０に書き込んだ時点で測定部９１０への電源供給を停止させる。
【０１６８】
尚、本発明が上記実施の形態に限らず適宜変更可能であるのは第１の実施形態から第３の実施形態と同様である。
【図面の簡単な説明】
【０１６９】
【図１】本願発明の電源制御装置が適用される筋肉活動測定システムの使用例を示す図である。
【図２】本願発明の電源制御装置が適用される筋肉活動測定システムを構成する筋電測定装置及び制御装置の制御構成の一例を示すブロック図である。
【図３】（Ａ）〜（Ｃ）は、筋電波形の一例を示す図である。
【図４】第１の実施形態における筋電測定装置の記憶部の構成例を示す図である。
【図５】（Ａ）及び（Ｂ）は、電源のＯＮ／ＯＦＦを説明する説明図である。
【図６】制御装置の表示部の表示例を示す図である。
【図７】第１の実施形態における制御装置の記憶部の具体的な構成例を示す図である。
【図８】第１の実施形態における筋肉活動状態データのデータ構成例を示す図である。
【図９】本願発明の第１の実施形態における筋電測定装置及び制御装置における処理の流れを説明するための前半のフローチャートである。
【図１０】図９に示す処理の流れを説明するための後半のフローチャートである。
【図１１】本願発明の第２の実施形態における筋電測定装置の記憶部の構成例を示す図である。
【図１２】図１１に示す制御装置の記憶部の具体的な構成例を示す図である。
【図１３】電源のＯＮ／ＯＦＦを説明する説明図である。
【図１４】本願発明の第２の実施形態における筋肉活動状態データのデータ構成例を示す図である。
【図１５】本願発明の第２の実施形態における筋電測定装置及び制御装置における処理の流れを説明するための前半のフローチャートである。
【図１６】図１５に示す処理の流れを説明するための後半のフローチャートである。
【図１７】第３の実施形態における筋電測定装置の記憶部の構成例を示す図である。
【図１８】図１７に示す記憶部の具体的な構成例を示す図である。
【図１９】本願発明の第３の実施形態における筋肉活動状態データのデータ構成例を示す図である。
【図２０】本願発明の第３の実施形態における筋電測定装置及び制御装置における処理の流れを説明するための前半のフローチャートである。
【図２１】図２０に示す処理の流れを説明するための後半のフローチャートである。
【図２２】本願発明の電源制御装置が適用される筋電測定装置の制御構成の一例を示すブロック図である。
【図２３】（Ａ）及び（Ｂ）は、電源のＯＮ／ＯＦＦを説明する説明図である。
【符号の説明】
【０１７０】
１  筋肉活動測定システム
１０  筋電測定装置
１１０  測定部
１１１  電極
１１２  インピーダンス変換器
１１３  増幅器
１１４  フィルタ
１１５  Ａ／Ｄ変換器
１２０  ＣＰＵ
１３０  送受信部
１４０  記憶部
３０  制御装置
３１０  入力部
３２０  ＣＰＵ
３３０  表示部
３４０  送受信部
３５０  記憶部
【図１】
2008054972.tif 000003
【図２】
2008054972.tif 000004
【図３】
2008054972.tif 000005
【図４】
2008054972.tif 000006
【図５】
2008054972.tif 000007
【図６】
2008054972.tif 000008
【図７】
2008054972.tif 000009
【図８】
2008054972.tif 000010
【図９】
2008054972.tif 000011
【図１０】
2008054972.tif 000012
【図１１】
2008054972.tif 000013
【図１２】
2008054972.tif 000014
【図１３】
2008054972.tif 000015
【図１４】
2008054972.tif 000016
【図１５】
2008054972.tif 000017
【図１６】
2008054972.tif 000018
【図１７】
2008054972.tif 000019
【図１８】
2008054972.tif 000020
【図１９】
2008054972.tif 000021
【図２０】
2008054972.tif 000022
【図２１】
2008054972.tif 000023
【図２２】
2008054972.tif 000024
【図２３】
2008054972.tif 000025